(57)【要約】  電力識別装置（２００）として、発電者の発電電力量と消費者の消費電力量とを発電部（１０１）と消費部（１０２）とから計測情報としてあらかじめ定めた周期で取得する計測情報取得部（２１１）と、前記発電電力量と前記消費電力量とのそれぞれに関する一次属性と前記発電電力量に関連する付加属性とを含む属性情報を生成するための生成ルールと、消費者の嗜好と伝送路の損失とを考慮して属性情報を消費者に分配するための分配ルールと損失ルールと、を管理するルール管理部（２０４）と、前記生成ルールに基づいて前記計測情報から前記属性情報を生成し、前記分配ルールと前記損失ルールとに基づいて、前記属性情報を前記発電者から前記消費者に分配する属性演算部（２０１）と、前記属性情報を外部に出力する属性出力(可視化)部（２０２）と、を少なくとも備えて構成する。これにより、電力の消費者が、購入した電力供給の実績をリアルタイムに把握し得る。
2016110920.tif 000002
【特許請求の範囲】
【請求項１】
発電者からの消費者に対する電力供給の実績を識別する電力識別装置であって、
前記発電者が発電した発電電力量と前記消費者が消費した消費電力量とのそれぞれを発電部と消費部とのそれぞれから計測情報としてあらかじめ定めた周期で取得する計測情報取得手段と、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理手段と、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算手段と、
前記属性情報を記憶するとともに、外部に対して出力する属性出力手段と
を少なくとも有していることを特徴とする電力識別装置。
【請求項２】
前記属性情報は、前記発電電力量、該発電電力量を計測した時刻に関する情報を少なくとも含む一次属性と、前記発電電力量の電源の種類、前記消費者における電力量の期待値、前記発電者を特定する発電者識別子、前記消費者を特定する消費者識別子、前記発電者が供給する電力の価格、環境負荷、地域に関する情報のいずれか１または複数の情報を含む付加属性と、を含んで構成されることを特徴とする請求項１に記載の電力識別装置。
【請求項３】
前記生成ルールは、前記属性情報の生成条件と生成方法とを規定し、前記生成条件に一致した場合に、該生成条件に対応して規定されている前記生成方法によって前記属性情報を生成することを特徴とする請求項１または２に記載の電力識別装置。
【請求項４】
前記分配ルールは、前記属性情報の分配条件と分配方法とを規定し、前記分配条件に一致した場合に、該分配条件に対応して規定されている前記分配方法によって前記属性情報を分配することを特徴とする請求項１ないし３のいずれかに記載の電力識別装置。
【請求項５】
前記損失ルールは、前記属性情報の損失条件と損失方法を規定し、前記損失条件に一致した場合に、該損失条件に対応して規定されている前記損失方法によって前記属性情報の前記発電電力量を減算することを特徴とする請求項１ないし４のいずれかに記載の電力識別装置。
【請求項６】
前記発電電力量の合計値と前記消費電力量の合計値との差分を補うための電力量を生成する仮想計測情報取得手段をさらに備えていることを特徴とする請求項１ないし５のいずれか記載の電力識別装置。
【請求項７】
前記属性情報に基づいて、前記消費者の前記消費部に備えている蓄電装置の充放電を制御するアクチュエーション手段をさらに備えていることを特徴とする請求項１ないし６のいずれかに記載の電力識別装置。
【請求項８】
前記属性情報を前記発電者から前記消費者に分配するための伝送路のトポロジ情報を管理するトポロジ管理手段をさらに備えていることを特徴とする請求項１ないし７のいずれかに記載の電力識別装置。
【請求項９】
発電者からの消費者に対する電力供給の実績を識別する電力識別方法であって、
前記発電者が発電した発電電力量と前記消費者が消費した消費電力量とのそれぞれを発電部と消費部とのそれぞれから計測情報としてあらかじめ定めた周期で取得する計測情報取得ステップと、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理ステップと、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算ステップと、
前記属性情報を記憶するとともに、外部に対して出力する属性出力ステップと
を少なくとも有していることを特徴とする電力識別方法。
【請求項１０】
請求項９に記載の電力識別方法をコンピュータに実行させる電力識別プログラムが格納された非一時的なコンピュータ可読媒体。
【発明の詳細な説明】
【技術分野】
【０００１】
本発明は、電力識別装置、電力識別方法および電力識別プログラムに関する。
【背景技術】
【０００２】
近年、工場や企業など大口の電力消費者は、自然エネルギーを選択して電力を購入できるようになっている。電力の消費者が、自然エネルギーを指定して購入することができるサービスとしては、例えば、非特許文献１の“グリーン電力証書”（日本自然エネルギー（株）、http://www.natural-e.co.jp/green/、２０１４．１２．０３）に掲載されているような新電力の提供サービスがある。【０００３】
風力、太陽光、バイオマス（生物資源）等の自然エネルギー（再生可能エネルギー）によって発電された電気は、「グリーン電力」と称され、「電気そのものの価値」に加えて、ＣＯ２の排出量削減に寄与し、環境への負荷が小さいという「環境価値」を有する。「電気そのものの価値」と「環境価値」とを切り離して、「環境価値」を証書化したものが、「グリーン電力証書」である。自然エネルギーの電力を指定して購入した消費者は、電力使用量の実績に応じたグリーン電力証書を受け取ることができる。
【先行技術文献】
【非特許文献】
【０００４】
【非特許文献１】“グリーン電力証書”、日本自然エネルギー（株）、http://www.natural-e.co.jp/green/、２０１４．１２．０３
【発明の概要】
【発明が解決しようとする課題】
【０００５】
しかしながら、前記非特許文献１に記載の「グリーン電力証書」の場合は、紙ベースの契約に基づき、月単位や年単位で消費者の電力使用量に自然エネルギーを割り当てている。このため、電力の消費者は、電力供給の実績をリアルタイム（例えば時間や分単位）に把握することはできない。【０００６】
例えば、電力の消費者が自然エネルギー１００％の電力供給を希望購入する場合を例にして説明すると、次のような状況が発生する。風力発電やメガソーラなどの自然エネルギーは、天候によって発電量が変動する。そのため、分単位などの短い時間においては、自然エネルギーの発電電力が不足して、（発電電力量＜消費電力量）の関係が生じてしまうことがあるが、消費者は発電電力量の不足を把握することができない。さらに、電力量の不足分は、別の発電電力によって補われることになるが、消費者は、別の電源の供給についても把握することができない。ここで、別の電源とは、例えば、新電力や電力会社が有する電源(託送サービス)等である。【０００７】
なお、託送サービスとは、電力会社が新電力に提供するサービスである。電力会社は、新電力の発電を受け取って、消費者に届ける(送配電する)とともに、需要の変動に応じて、発電と消費とを合わせるように、発電不足時には売電し、発電余剰時には買電する。【０００８】
また、新電力に対して、消費者が自然エネルギーの一括購入(例えば、外部の小水力の１００％購入)を行う場合を例にして説明すると、次のような状況が発生する。消費者が一括購入した自然エネルギーは、発電電力の全てが該消費者の所有物であるため、自然エネルギーの発電電力量が余剰になって、（供給電力量＞需要電力量) の関係が生じる場合であっても、余剰分は該消費者の所有物であるにも関わらず、該消費者は電力の余剰が発生していることを把握することができない。さらに、電力の余剰分については、自動的に、別の消費者に供給されることになるが、該消費者は、別の消費者への電力供給が生じていることについても把握することができない。ここで、別の消費者とは、例えば新電力に加入するその他の消費者や電力会社による買電である。【０００９】
（本発明の目的）
本発明は、前述の問題点を鑑みてなされたものであり、電力の消費者が自分の好みの電力を購入した際に、該消費者が電力供給の実績をリアルタイムに把握することを可能にする電力識別装置、電力識別方法および電力識別プログラムを提供することを、その目的としている。
【課題を解決するための手段】
【００１０】
前述の課題を解決するため、本発明による電力識別装置、電力識別方法および電力識別プログラムは、主に、次のような特徴的な構成を採用している。【００１１】
（１）本発明による電力識別装置は、
発電者からの消費者に対する電力供給の実績を識別する電力識別装置であって、
前記発電者が発電した発電電力量と前記消費者が消費した消費電力量とのそれぞれを発電部と消費部とのそれぞれから計測情報としてあらかじめ定めた周期で取得する計測情報取得手段と、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理手段と、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算手段と、
前記属性情報を記憶するとともに、外部に対して出力する属性出力手段と
を少なくとも有していることを特徴とする。【００１２】
（２）本発明による電力識別方法は、
発電者からの消費者に対する電力供給の実績を識別する電力識別方法であって、
前記発電者が発電した発電電力量と前記消費者が消費した消費電力量とのそれぞれを発電部と消費部とのそれぞれから計測情報としてあらかじめ定めた周期で取得する計測情報取得ステップと、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理ステップと、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算ステップと、
前記属性情報を記憶するとともに、外部に対して出力する属性出力ステップと
を少なくとも有していることを特徴とする。【００１３】
（３）本発明による電力識別プログラムは、前記（２）に記載の電力識別方法をコンピュータによって実行可能なプログラムとして実施していることを特徴とする。
【発明の効果】
【００１４】
本発明の電力識別装置、電力識別方法および電力識別プログラムによれば、以下のような効果を奏することができる。【００１５】
本発明においては、あらかじめ定めた周期ごとに、発電者と消費者との電力量に関する情報と、電源の種類などの発電電力量に関連する情報とを含む属性情報を生成するための生成ルールと、消費者の嗜好に従い該属性情報を消費者に分配するための分配ルールと、発電者から消費者までの伝送路上の電力損失を考慮するための損失ルールと、に基づいて、属性情報を生成し、生成した該属性情報を消費者に対して出力するように構成されているので、電力の消費者が自分の好みの電力を購入した際に、該消費者は、あらかじめ定めた周期ごとに、ほぼリアルタイムで、電力供給の実績を容易かつ確実に把握することができる。【００１６】
而して、本発明による電力識別装置を、新電力などの電力事業者が実施する電力小売事業等において、新電力の加入者(消費者)やオペレータ等に対して電力供給の実績をリアルタイムに提示するための装置として利用することも可能である。
【図面の簡単な説明】
【００１７】
【図１】本発明による第１の実施の形態における電力識別装置が対象とする発電部、消費部、送配電網の接続構成の一例を示す接続構成図である。
【図２】本発明による第１の実施の形態における電力識別装置の機能ブロック定義の一例を示すブロック定義図である。
【図３】本発明による第１の実施の形態における電力識別装置の内部ブロックの一例を示す内部ブロック図である。
【図４Ａ】本発明による第１の実施の形態において属性演算部が取得する計測情報の一例をテーブル形式で例示するテーブルである。
【図４Ｂ】本発明による第１の実施の形態において属性演算部が取得する計測情報の一例をテーブル形式で例示するテーブルである。
【図５Ａ】本発明による第１の実施の形態において属性演算部が取得する仮想計測情報の一例をテーブル形式で例示するテーブルである。
【図５Ｂ】本発明による第１の実施の形態において属性演算部が取得する仮想計測情報の一例をテーブル形式で例示するテーブルである。
【図６】本発明による第１の実施の形態において属性演算部が生成する属性情報のブロック定義の一例を示すブロック定義図である。
【図７】本発明による第１の実施の形態においてルール管理部が管理する生成ルールの一例をテーブル形式で例示するテーブルである。
【図８】本発明による第１の実施の形態においてルール管理部が管理する分配ルールの一例をテーブル形式で例示するテーブルである。
【図９】本発明による第１の実施の形態においてルール管理部が管理する損失ルールの一例をテーブル形式で例示するテーブルである。
【図１０Ａ】本発明による第１の実施の形態における消費部のＩＰアドレスと識別子とを関連付けた情報の一例をテーブル形式で例示するテーブルである。
【図１０Ｂ】本発明による第１の実施の形態における発電部のＩＰアドレスと識別子とを関連付けた情報の一例をテーブル形式で例示するテーブルである。
【図１１】本発明による第１の実施の形態における電力識別装置のハードウェア構成の一例を例示するブロック構成図である。
【図１２】本発明による第１の実施の形態における電力識別装置の電力識別動作の一例を例示するフローチャートである。
【図１３】本発明による第１の実施の形態における電力識別装置の属性演算動作の一例を例示するフローチャートである。
【図１４】本発明による第１の実施の形態の効果を説明するためのイメージ図である。
【図１５】本発明による第１の実施の形態の図１４とは異なる場合における効果を説明するためのイメージ図である。
【図１６】本発明による第２の実施の形態における電力識別装置の機能ブロック定義の一例を示すブロック定義図である。
【図１７】本発明による第２の実施の形態における電力識別装置の内部ブロックの一例を示す内部ブロック図である。
【図１８】本発明による第２の実施の形態の効果を説明するためのイメージ図である。
【図１９】本発明による第２の実施の形態の図１８とは異なる場合における効果を説明するためのイメージ図である。
【図２０】本発明による第３の実施の形態における電力識別装置の機能ブロック定義の一例を示すブロック定義図である。
【図２１】本発明による第３の実施の形態における電力識別装置の内部ブロックの一例を示す内部ブロック図である。
【図２２】本発明による第３の実施の形態において伝送路をモデル化した伝送路モデルの一例を示す模式図である。
【図２３】本発明による第３の実施の形態における伝送路モデルを定義するためのトポロジ情報の一例をテーブル形式で例示する示すテーブルである。
【図２４】本発明による第３の実施の形態においてルール管理部が管理する分配ルールの一例をテーブル形式で例示するテーブルである。
【図２５】本発明による第３の実施の形態においてルール管理部が管理する損失ルールの一例をテーブル形式で例示するテーブルである。
【図２６】本発明による第３の実施の形態における電力識別装置の属性演算の動作の一例を例示するフローチャートである。
【発明を実施するための形態】
【００１８】
以下、本発明による電力識別装置、電力識別方法および電力識別プログラムの好適な実施形態について添付図を参照して説明する。なお、以下の説明においては、本発明による電力識別装置および電力識別方法について説明するが、かかる電力識別方法を、コンピュータに電力識別プログラムを実行させることにより実現するようにしても良い。また、電力識別プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給するようにしても良いことは言うまでもない。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。また、以下の各図面においては、同様な構成要素には同一の参照符号を付し、以降の図面においては適宜説明を省略している。なお、以下の各図面に付した図面参照符号は、理解を助けるための一例として各要素に便宜上付記したものであり、本発明を図示の態様に限定することを意図するものではないことも言うまでもない。
【００１９】
而して、電力の消費者が自分の好みの電力を購入した際に、該消費者は電力供給の実績をリアルタイム(例えば、分単位)で、かつ、容易に把握することができる。
【００２０】
［第１の実施の形態］
［第１の実施の形態の構成例］
次に、本発明の第１の実施の形態に係る電力識別装置の構成例について、図面を参照して詳細に説明する。
【００２１】
図１は、本発明による第１の実施の形態における電力識別装置が対象とする発電部、消費部、送配電網の接続構成の一例を示す接続構成図である。図１に示すように、本発明による第１の実施の形態における電力識別装置は、電力の発電を行う１〜ＭまでのＭ個の発電部１０１と、電力を消費する１〜ＮまでのＮ個の消費部１０２との間が、送配電網１０３を介して接続されている電力送配電システムを対象としている。なお、図１に示す各ブロックは、ハードウェア単位の構成ではなく、機能単位の構成を表している。
【００２２】
図１に矢印によって示すように、Ｍ個の各発電部１０１は、送配電網１０３を介して、Ｎ個の各消費部１０２へ電力を供給する。各発電部１０１は、図示していないが、電力を発電して、発電した電力を供給する発電装置、または、蓄えた電力を供給する蓄電装置などを備えている。各発電部１０１は、発電情報出力手段を備えており、自身の発電した発電電力量を計測し、外部からの要求に応じて、発電した発電電力量と計測時刻とを要求元に対して出力する。ここで、各発電部１０１は、複数の発電装置または複数の蓄電装置を備えていても良いし、各発電部１０１は、一つ以上の発電装置と一つ以上の蓄電装置との組み合わせを備えていても良い。なお、各発電部１０１は、電力会社が所有するものであっても良いし、その他の法人または個人が所有するものであっても良い。
【００２３】
一方、Ｎ個の各消費部１０２は、送配電網１０３を介して受電した電力を消費する種々の負荷、または、送配電網１０３を介して受電した電力を蓄電する蓄電装置などを備えている。各消費部１０２は、消費情報出力手段を備えており、自身の消費した消費電力量を計測し、外部からの要求に応じて、消費した消費電力量と計測時刻とを要求元に対して出力する。ここで、各消費部１０２は、複数の負荷または複数の蓄電装置を備えていても良いし、一つ以上の負荷と一つ以上の蓄電装置との組み合わせを備えていても良い。なお、各消費部１０２を所有する消費者は、法人であっても良いし、個人であっても良い。
【００２４】
送配電網１０３は、Ｍ個の各発電部１０１が供給する電力をＮ個の各消費部１０２が受電することができるように、電力を分配することができるように構成されていれば、如何なる構成であっても良く、特定のものに限定されるものではない。ここで、送配電網１０３は、電力を分配するための分配装置等を一つまたは複数備えて構成されている。
【００２５】
次に、本発明による第１の実施の形態における電力識別装置の構成例について図２のブロック定義図を用いて説明する。図２は、本発明による第１の実施の形態における電力識別装置の機能ブロック定義の一例を示すブロック定義図である。なお、図２に示す各機能ブロックは、ハードウェア単位の構成ではなく、機能単位の構成を表している。また、図２の各機能ブロックに付されている矢印は、各機能ブロック同士の結合関係を示している。
【００２６】
図２に示すように、電力識別装置２００（すなわち電力識別部２００）は、属性演算部２０１、属性出力(可視化)部２０２、属性情報記憶部２０３、ルール管理部２０４、ルール記憶部２０５、計測情報収集蓄積部２０６、計測情報記憶部２０７、仮想計測情報取得部２０８、仮想発電部２０９、仮想消費部２１０、計測情報取得部２１１、発電情報取得部２１２、および、消費情報取得部２１３、の各機能ブロックを少なくとも備えて構成されている。
【００２７】
図２において、属性演算部２０１と属性出力(可視化)部２０２とルール管理部２０４と計測情報収集蓄積部２０６とは、電力識別装置２００（すなわち電力識別部２００）の一部である。また、属性情報記憶部２０３は、属性出力(可視化)部２０２の一部であり、ルール記憶部２０５は、ルール管理部２０４の一部である。また、計測情報記憶部２０７と仮想計測情報取得部２０８と計測情報取得部２１１とは、計測情報収集蓄積部２０６の一部である。また、仮想発電部２０９と仮想消費部２１０とは、仮想計測情報取得部２０８の汎化ブロックであり、発電情報取得部２１２と消費情報取得部２１３とは、計測情報取得部２１１の汎化ブロックである。
【００２８】
次に、図２により機能ブロックの定義を行った電力識別装置２００のブロック構成の一例について図３を用いて説明する。図３は、本発明による第１の実施の形態における電力識別装置の内部ブロックの一例を示す内部ブロック図である。図３においては、電力識別装置２００の各機能ブロック間の情報の流れについても示している。以降、図３の内部ブロック構成図を用いて、電力識別装置２００の各機能ブロックについて個別に説明する。
【００２９】
＜属性演算部２０１＞
属性演算部２０１は、計測情報収集蓄積部２０６から計測情報を受け取り、ルール管理部２０４から所望のルールセット(生成ルール、分配ルール、損失ルール)を受け取り、受け取った計測情報とルールセットとに基づいて、属性情報を生成して、生成した属性情報を属性出力(可視化)部２０２へ引き渡すとともに、損失ルールを仮想計測情報取得部２０８へ引き渡す。以降に、さらに詳細に説明する。
【００３０】
属性演算部２０１は、計測情報収集蓄積部２０６から、あらかじめ定めた周期例えば１分単位で計測情報を取得する。ここで、計測情報とは、計測情報取得部２１１において取得された発電電力量と消費電力量とそれぞれの計測時刻とを含む情報である。なお、属性演算部２０１において取得する情報としては、該計測情報のみならず、仮想計測情報取得部２０８において取得された仮想計測情報も含む。計測情報と仮想計測情報とは、いずれも、識別子と電力量と計測時刻との各情報を含む情報である。
【００３１】
すなわち、計測情報は、図１に示した各発電部１０１と各消費部１０２とのそれぞれを特定するための識別子と、発電部１０１や消費部１０２から取得された実測値の電力量（各発電部１０１において発電された発電電力量、各消費部１０２において消費された消費電力量）と、該電力量を計測した計測時刻とを含む情報である。また、仮想計測情報は、詳細は後述するが、仮想計測情報取得部２０８が生成する仮想発電者と仮想消費者とに関する仮想の計測情報(模擬データ)であり、仮想発電者、仮想消費者を特定するための識別子と、仮想発電者、仮想消費者における仮想値の電力量（各仮想発電者において発電された仮想発電電力量、各仮想消費者において消費された仮想消費電力量）と、該仮想電力量を計測した仮想計測時刻とを含む情報である。
【００３２】
属性演算部２０１は、あらかじめ定めた周期例えば１分ごとに、計測情報収集蓄積部２０６に対して計測情報を要求して取得するようにしても良いし、あらかじめ定めた周期例えば１分ごとに、計測情報収集蓄積部２０６から自律的に送出されてくる通知（計測情報）を受け取るようにして良い。なお、発電部１０１や消費部１０２から計測情報を取得するための通信時間や、電力識別装置２００と発電部１０１、消費部１０２との間の時刻ズレが生じるため、あらかじめ定めた周期例えば１分ごとに全ての発電部１０１や消費部１０２から計測情報を取得するためにあらかじめ定めた所定の時間だけ待ち合わせるための待ち合わせ時間を設けても良い。
【００３３】
次に、各発電部１０１や各消費部１０２から実測値として取得した計測情報取得部２１１より属性演算部２０１が取得する計測情報の具体例について説明する。図４Ａ及び図４Ｂは、本発明による第１の実施の形態において属性演算部２０１が取得する計測情報の一例をテーブル形式で例示するテーブルである。図４Ａに示す例においては、発電者側に関する計測情報は、発電者識別子が発電者１であり、発電電力量を計測した時刻が２０１４／１／１  ００：００：００であり、発電した電力量が１０Ｗｈ、であることを示している。また、図４Ｂに示す例においては、消費者側の計測情報は、消費者識別子が消費者１であり、消費電力量を計測した時刻が２０１４／１／１  ００：００：００であり、消費した電力量が１５Ｗｈ、であることを示している。
【００３４】
次に、属性演算部２０１が仮想計測情報取得部２０８から取得する仮想計測情報の具体例について説明する。図５Ａ及び図５Ｂは、本発明による第１の実施の形態において属性演算部２０１が取得する仮想計測情報の一例をテーブル形式で例示するテーブルである。図５Ａに示す例においては、電力会社(買電)の仮想計測情報として、発電者識別子が発電者０であり、仮想発電（買電）の電力量を計測した時刻が２０１４／１／１  ００：００：００であり、仮想発電（買電）の電力量が６０／９Ｗｈ、であることを示している。また、図５Ｂに示す例においては、電力会社(売電)の仮想計測情報として、消費者識別子が消費者０であり、仮想消費（売電）の電力量を計測した時刻が２０１４／１／１  ００：００：００であり、仮想消費（売電）の電力量が０Ｗｈであることを示している。ここで、仮想計測情報とは、前述したように、仮想計測情報取得部２０８において生成される仮想の計測情報（模擬データ）のことであるが、発電者から供給される発電電力量の合計値と消費者が消費する電力量の合計値との間の電力量の差分（ズレ）を補うための電力量に関する情報を意味している。
【００３５】
さらに、属性演算部２０１は、計測情報（仮想計測情報も含む）と生成ルールとに基づいて、属性情報を生成し、生成した該属性情報を、分配ルールと損失ルールとに基づいて、消費者(消費部１０２の所有者)への分配について決定するとともに、生成した該属性情報を属性出力(可視化)部２０２へ引き渡す。ここで、生成ルールとは、計測情報取得部２１１が取得する発電電力量に応じて属性情報を生成するための属性の内容に関する情報や、複数の属性を付与する場合にはそれぞれの比率や量を規定するルールのことである。また、分配ルールとは、属性情報を消費者へ分配し、負荷など電力を消費する箇所に届ける際の、消費者の嗜好に従った分配の比率や量を規定するルールのことである。また、損失ルールとは、発電者(発電部１０１の所有者)から消費者へ属性情報を伝送する際の、伝送路（電力を送配電する伝送路）上における属性情報の発電電力量の損失の比率や量を指定するルールのことである。各ルールの詳細については後述する。
【００３６】
次に、属性演算部２０１において生成する属性情報について図６を用いて説明する。図６は本発明による第１の実施の形態において属性演算部２０１が生成する属性情報のブロック定義の一例を示すブロック定義図である。図６に示すように、属性情報は、消費者に供給される発電電力量（表示形式：Ｗｈ）や該発電電力量を計測した時刻（表示形式：年月日・時・分・秒の時刻）に関する情報を少なくとも含む一次属性と、供給される電源の種類（表示形式：文字列）や消費者における電力量の期待値（表示形式：Ｗｈ）、発電者識別子（表示形式：番号）や消費者識別子（表示形式：番号）に関する情報のいずれか１または複数の情報を含む付加属性と、の双方を含む情報である。
【００３７】
なお、電力量の期待値とは、後述する分配ルールと損失ルールとの適用によって生成される値であり、消費者の嗜好に合わせて消費者に分配されることが期待される電力量を示す情報である。属性情報の一次属性である発電電力量と、属性情報の付加属性である電力量の期待値と、の間の差分は、電力供給の実績（属性情報の発電電力量）と期待値（電力量の期待値）とのズレを意味する。かかるズレが生じる理由は、分配ルールと損失ルールとによって、消費者に分配される属性情報の発電電力量よりも、当該消費者が消費した電力消費量（消費者の計測情報）が少ない場合が生じていることによる。
【００３８】
さらに、属性演算部２０１は、生成した属性情報を属性出力(可視化)部２０２へ引き渡す他に、適用した損失ルールを仮想計測情報取得部２０８へ引き渡す。
【００３９】
＜属性出力(可視化)部２０２＞
属性出力(可視化)部２０２は、属性演算部２０１から属性情報を受け取り、受け取った属性情報を図２にて定義した属性情報記憶部２０３によって記憶する。さらに、外部からの要求に応じて、属性情報記憶部２０３に記憶した属性情報を要求元に対して出力する。要求元に対して出力する属性情報の出力形式として、数値やテキスト、グラフなどが挙げられるが、かかる形式のみに限定するものではない。
【００４０】
また、要求元の外部とは、消費者やオペレータ（電力識別装置２００の所有者や管理者）、発電者、あるいは、第三者の他のシステム（属性情報を利用するアプリケーションやシステム）などのことであり、これらの要求元のうちいずれか１または複数に対して属性情報を出力する。例えば、図４Ａ及び図４Ｂに例示した計測情報が取得されていた場合において、消費電力量が１５Ｗｈの消費者すなわち消費者１が、時刻２０１４／１／１  ００：００：００に自分に割り当てられた属性情報を要求した場合、属性出力(可視化)部２０２は、図６に例示する属性情報として、例えば風力発電を行う発電者１から供給される電力量である「電力量」が１０Ｗｈ、「電源の種類」が風力を示す属性情報と、さらに、例えば電力会社電源から供給される電力量である「電力量」が５Ｗｈ、「電源の種類」が電力会社電源を示す属性情報と、の二つの属性情報が、属性演算部２０１から引き渡されている。したがって、属性出力(可視化)部２０２は、属性演算部２０１から受け取った二つの属性情報を可視化した情報に変換して、消費者すなわち消費者１に対して出力する。消費者すなわち消費者１は、かくのごとき二つの属性情報を電力識別装置２００から受け取ることによって、要求時に直ちに（リアルタイムに）電力供給の実績を把握することができる。すなわち、消費者すなわち消費者１は、自分で消費した電力量の内訳として、１０Ｗｈは風力発電の電力であり、残りの５Ｗｈは電力会社の電源であることをリアルタイムに把握することができる。
【００４１】
＜ルール管理部２０４＞
ルール管理部２０４は、外部から、生成ルールと分配ルールと損失ルールとのルールセットを受け取って、受け取ったルールセットを図２にて定義したルール記憶部２０５によって記憶する。ここで、外部とは、消費者やオペレータ、発電者、あるいは、第三者の他のシステム（当該ルールを生成するアプリケーションやシステム）などのことである。さらに、ルール管理部２０４は、ルール記憶部２０５によって記憶されているルールセットを読み出して、属性演算部２０１に対して、所望のルールセットとして、読み出した生成ルール、分配ルールおよび損失ルールからなるルールセットを引き渡す。ルールセットを構成する生成ルール、分配ルールおよび損失ルールの一例について、次に説明する。
【００４２】
（生成ルール）
生成ルールは、属性情報の生成条件と生成方法とを規定し、規定した生成条件に一致した場合に、該生成条件に対応して規定されている生成方法を用いて属性情報を生成することを規定するルールである。例えば、生成条件は、発電者識別子を規定するものであり、生成方法は、図２にて定義した発電情報取得部２１２により取得される発電の電力量に応じて属性情報を生成するための属性の内容や、複数の属性を付与する場合には、複数の属性の比率や量を規定するものである。
【００４３】
生成ルールの一例を図７に示す。図７は、本発明による第１の実施の形態においてルール管理部２０４が管理する生成ルールの一例をテーブル形式で例示するテーブルである。図７に例示する生成ルールは、生成条件が、前述のように、図６の属性情報の付加属性における発電者識別子を規定する情報であり、生成方法が、図６の属性情報の付加属性における電源の種類の比率を規定する情報である場合を示している。
【００４４】
例えば、図７に例示する生成ルールにおいては、生成条件となる発電者識別子が発電者０の発電者の場合には、属性情報の生成方法として、属性情報の付加属性における電源の種類を「電力会社電源」とし、その比率を１００％とする（発電者０が供給する電力量の全てが計測情報の電力会社電源とする）ことを規定する。また、発電者識別子が発電者１の発電者の場合には、属性情報の生成方法として、属性情報の付加属性における電源の種類を「風力」とし、その比率を１００％とする（発電者１が供給する電力量の全てが計測情報の風力発電とする）ことを規定する。また、発電者識別子が発電者２の発電者の場合には、属性情報の生成方法として、二つの電源の種類に応じて二つの属性情報を生成し、一方の属性情報については、属性情報の付加属性における電源の種類を「火力」とする比率が８０％であり、他方の属性情報については、属性情報の付加属性における電源の種類が「風力」とする比率が２０％であることを規定する。
【００４５】
（分配ルール）
分配ルールは、属性情報の分配条件と分配方法とを規定し、規定した分配条件に一致した場合に、該分配条件に対応して規定されている分配方法を用いて属性情報を分配することを規定するルールである。例えば、分配条件は、発電者を特定する発電者識別子を規定するものであり、分配方法は、消費者を特定する消費者識別子を規定する情報と、該消費者の嗜好に従った属性情報の分配の比率や量を規定するものである。
【００４６】
分配ルールの一例を図８に示す。図８は、本発明による第１の実施の形態においてルール管理部２０４が管理する分配ルールの一例をテーブル形式で例示するテーブルである。図８に例示する分配ルールは、分配条件が、前述のように、図６の属性情報の付加属性における発電者識別子を規定する情報であり、分配方法が、図６の属性情報の付加属性における消費者識別子を規定する情報と該消費者識別子にて特定した消費者に対して発電者識別子にて示す発電者から電力を分配する比率を規定する情報とである場合を示している。
【００４７】
例えば、図８に例示する分配ルールにおいては、分配条件となる発電者識別子が発電者１の発電者の場合には、属性情報の分配方法として、属性情報の付加属性における消費者識別子が消費者１の消費者に対する分配比率が１００％である（当該属性情報の電力値が示す電力を全て消費者１に分配する）ことを規定する。また、発電者識別子が発電者２の発電者の場合には、属性情報の分配方法として、二つの消費者への電力分配先があり、属性情報の付加属性における消費者識別子が消費者２の消費者に対する分配比率が属性情報の電力値の６０％の電力であり、属性情報の付加属性における消費者識別子が消費者２の消費者に対する分配比率が属性情報の電力値の４０％の電力であることを規定する。
【００４８】
（損失ルール）
損失ルールは、属性情報の損失条件と損失方法とを規定し、規定した損失条件に一致した場合に、該損失条件に対応して規定されている損失方法を用いて属性情報の発電電力量を減算することを規定するルールである。例えば、損失条件は、発電者識別子と消費者識別子とを規定するものであり、損失方法は、該発電者識別子が示す発電者から該消費者識別子が示す消費者に対して属性情報の電力値が示す電力を伝送する際の伝送路上における属性情報の電力量の損失比率や損失量を規定するものである。
【００４９】
損失ルールの一例を図９に示す。図９は、本発明による第１の実施の形態においてルール管理部２０４が管理する損失ルールの一例をテーブル形式で例示するテーブルである。図８に例示する損失ルールにおいては、損失条件として、図６の属性情報の付加属性における発電者識別子および消費者識別子を規定する情報であるが、任意の発電者と任意の消費者との組み合わせ、すなわち、如何なる発電者と消費者との組み合わせであっても、損失方法として、属性情報の損失比率は、固定した一定の値であり、固定値１０％であることを規定している。
【００５０】
＜計測情報収集蓄積部２０６＞
計測情報収集蓄積部２０６は、計測情報取得部２１１からあらかじめ定めた周期例えば１分単位で、全ての発電部１０１と全ての消費部１０２とから計測情報を受け取り、受け取った計測情報を図２にて定義した計測情報記憶部２０７によって記憶する。該計測情報は、発電者や消費者を特定する識別子、発電した電力量や消費した電力量、それぞれの電力量を計測した計測時刻に関する情報である。
【００５１】
計測情報収集蓄積部２０６は、あらかじめ定めた周期例えば１分ごとに、計測情報取得部２１１に対して計測情報を要求して取得するようにしても良いし、あらかじめ定めた周期例えば１分ごとに、計測情報取得部２１１から自律的に送出されてくる通知（計測情報）を受け取るようにして良い。なお、前述したように、計測情報取得部２１１が、発電部１０１や消費部１０２から計測情報（識別子や電力量や時刻に関する情報）を収集するための通信時間や、電力識別装置２００と発電部１０１、消費部１０２との間の時刻ズレが生じるため、あらかじめ定めた周期例えば１分ごとに全ての発電部１０１や消費部１０２から計測情報を取得するためにあらかじめ定めた所定の時間だけ待ち合わせるための待ち合わせ時間を設けても良い。
【００５２】
さらに、計測情報収集蓄積部２０６は、該計測情報のみならず、あらかじめ定めた周期例えば１分ごとに、仮想計測情報取得部２０８からも、仮想計測情報を受け取り、受け取った仮想計測情報を図２にて定義した計測情報記憶部２０７によって記憶する。該仮想計測情報は、前記計測情報と同様の情報であり、仮想発電者や仮想消費者を識別する識別子、発電した仮想電力量や消費した仮想電力量、それぞれの仮想電力量を計測した仮想計測時刻に関する情報である。
【００５３】
計測情報収集蓄積部２０６は、あらかじめ定めた周期例えば１分ごとに、仮想計測情報取得部２０８に対して仮想計測情報を要求して取得するようにしても良いし、あらかじめ定めた周期例えば１分ごとに、仮想計測情報取得部２０８から自律的に送出されてくる通知（計測情報）を受け取るようにして良い。
【００５４】
さらに、計測情報収集蓄積部２０６は、属性演算部２０１に対して、計測情報記憶部２０７によって記憶している計測情報を引き渡す。ここで、属性演算部２０１に対して引き渡す計測情報としては、計測情報取得部２１１から取得した実測値である計測情報と、仮想計測情報取得部２０８から取得した仮想計測情報と、の双方の情報である。
【００５５】
＜仮想計測情報取得部２０８＞
仮想計測情報取得部２０８は、属性演算部２０１から損失ルールを受け取るとともに、計測情報取得部２１１から計測情報を受け取り、受け取った損失ルールと計測情報とに基づいて、仮想計測情報を生成し、生成した仮想計測情報を計測情報収集蓄積部２０６に引き渡す。詳細は、次の通りである。
【００５６】
仮想計測情報取得部２０８は、まず、属性演算部２０１から損失ルールを受け取る。さらに、仮想計測情報取得部２０８は、計測情報取得部２１１からあらかじめ１定めた周期例えば１分単位で、計測情報を受け取る。
【００５７】
ここで、仮想計測情報取得部２０８は、あらかじめ定めた周期例えば１分ごとに、計測情報取得部２１１に対して計測情報を要求して取得するようにしても良いし、あらかじめ定めた周期例えば１分ごとに、計測情報取得部２１１から自律的に送出されてくる通知（計測情報）を受け取るようにして良い。なお、前述したように、計測情報取得部２１１が発電部１０１や消費部１０２から計測情報（識別子や電力量や時刻に関する情報）を収集するための通信時間や、電力識別装置２００と発電部１０１、消費部１０２との間の時刻ズレが生じるため、あらかじめ定めた周期例えば１分ごとに全ての発電部１０１や消費部１０２から計測情報を取得するためにあらかじめ定めた所定の時間だけ待ち合わせるための待ち合わせ時間を設けても良い。
【００５８】
仮想計測情報取得部２０８は、損失ルールと計測情報とを取得すると、取得した損失ルールと計測情報とに基づいて、仮想計測情報を生成する。例えば、取得した損失ルールが、図９に例示したように、発電者と消費者との如何なる組み合わせであっても、一律に固定した１０％の損失比率であり、取得した計測情報が、図４Ａ及び図４Ｂに例示した情報（発電者識別子が発電者１であり、時刻２０１４／１／１  ００：００：００に計測された発電電力量が１０Ｗｈであり、消費者識別子が消費者１であり、時刻２０１４／１／１  ００：００：００に計測された消費電力量が１５Ｗｈであることを示す情報）であった場合には、具体的には、以下のような手順によって、仮想計測情報が生成される。
【００５９】
（段階Ａ１）：
まず、発電者識別子が発電者１の発電者の計測情報から、発電者１が発電した電力量の合計値Ｐｓｕｍを算出する。
【００６０】
（段階Ａ２）：
前記（段階Ａ１）において算出した発電者１が発電した電力量Ｐｓｕｍ（図４Ａの場合、Ｐｓｕｍ＝１０Ｗｈ）に対して損失ルール（損失比率１０％）を適用することによって、計測された時刻において、消費者識別子が消費者１の消費者に対して発電者１から供給された電力量（Ｐｓｕｍ×９／１０：図４Ａの場合、Ｐｓｕｍ×９／１０＝１０×９／１０Ｗｈ）を算出する。
【００６１】
（段階Ａ３）：
次に、消費者識別子が消費者１の消費者の計測情報から、消費者１が消費した電力量の合計値Ｃｓｕｍ（図４Ｂの場合、Ｃｓｕｍ＝１５Ｗｈ）を算出する。
【００６２】
（段階Ａ４）：
前記（段階Ａ３）において算出した消費者１の消費した電力量Ｃｓｕｍと、前記（段階Ａ２）において算出した、発電者１が発電した電力量Ｐｓｕｍから損失ルールによる損失量を差し引いた電力量（消費者１への供給電力量）との比較結果に基づいて、発電者１の発電余剰や発電不足を補うための仮想計測情報（図４Ａ及び図４Ｂの場合、Ｃｓｕｍ−Ｐｓｕｍ×９／１０＝１５−１０×９／１０＝６Ｗｈの発電不足）を生成する。すなわち、仮想計測情報取得部２０８は、次のような情報を生成する。
【００６３】
（ａ）「（Ｐｓｕｍ−損失量）≧Ｃｓｕｍ」の場合
発電者１による消費者１に対する供給電力量は、消費者１が消費する電力量以上になっている場合であり、仮想計測情報取得部２０８は、図２にて定義した仮想発電部２０９において生成される電力会社による売電の電力量が０Ｗｈであることを示す仮想発電者の仮想計測情報を生成する。
【００６４】
さらに、損失ルール適用済みの発電者１の電力量の合計値と、消費者１の電力量の合計値と、の差分（すなわち、発電余剰分＝（Ｐｓｕｍ−損失量）−Ｃｓｕｍ）を、発電余剰分として算出する。しかる後、仮想計測情報取得部２０８は、図２にて定義した仮想消費部２１０において生成される電力会社による買電の電力量を示す情報として、該発電者１の発電余剰分を含む仮想消費者の仮想計測情報を生成する。
【００６５】
（ｂ）「（Ｐｓｕｍ−損失量）＜Ｃｓｕｍ」の場合
発電者１による消費者１に対する供給電力量は、消費者１が消費する電力量よりも少なくなっていた場合であり、仮想計測情報取得部２０８は、損失ルール適用済みの発電者１の電力量の合計値と、消費者１の電力量の合計値と、の差分（すなわち、発電不足分＝Ｃｓｕｍ−(Ｐｓｕｍ−損失量)：図４Ａ及び図４Ｂの場合、前述のように、６Ｗｈ）を、発電不足分として算出する。
【００６６】
次いで、該発電不足分を補うための仮想発電者の電力量を算出する。ここで、仮想発電者の電力量（すなわち、電力会社による売電の電力量）は、消費者１の消費部１０２側に供給されるまでの間に損失ルールによる損失固定値１０％が発生するため、１０％分の損失量を補った電力量(仮想発電者の電力量＝発電不足分×１０／９：図４Ａ及び図４Ｂの場合、６×１０／９Ｗｈ)にすることが必要である。
【００６７】
次いで、仮想計測情報取得部２０８は、図２にて定義した仮想発電部２０９において生成される、電力会社による売電の電力量を示す情報として、算出した仮想発電者の電力量を含む仮想発電者の仮想計測情報を生成する。さらに、仮想計測情報取得部２０８は、図２にて定義した仮想消費部２１０において生成される、電力会社による買電の電力量が０Ｗｈであることを示す仮想消費者の仮想計測情報を生成する。
【００６８】
仮想計測情報取得部２０８は、仮想計測情報を生成すると、生成した仮想計測情報を計測情報収集蓄積部２０６に引き渡す。
【００６９】
＜計測情報取得部２１１＞
計測情報取得部２１１は、図１に示した各発電部１０１と各消費部１０２とからあらかじめ定めた周期例えば１分単位の電力量と計測時刻とを、通信網例えばインターネットを介して取得する。
【００７０】
ここで、計測情報取得部２１１は、前述したように、あらかじめ定めた周期例えば１分ごとに、各発電部１０１と各消費部１０２とに対して電力量と計測時刻とに関する情報を要求して取得するようにしても良いし、あらかじめ定めた周期例えば１分ごとに、各消費部１０２と各発電部１０１とから自律的に送出されてくる電力量と計測時刻とに関する情報の通知を受け取るようにして良い。なお、前述したように、発電部１０１や消費部１０２から電力量と計測時刻とに関する情報を収集するための通信時間や、電力識別装置２００と発電部１０１、消費部１０２との間の時刻ズレを考慮して、全ての発電部１０１や消費部１０２から電力量の計測値と計測時刻とに関する情報を取得するためにあらかじめ定めた所定の時間だけ待ち合わせるための待ち合わせ時間を設けても良い。
【００７１】
さらに、計測情報取得部２１１は、電力量と計測時刻とに関する情報を取得した発電部１０１や消費部１０２を識別するために、収集する電力量と計測時刻に関する情報に発電部１０１や消費部１０２の識別子を付与して、計測情報を生成する。ここで、計測情報の定義についてより明確に記述する必要がある場合には、以降においては、発電部１０１から取得した情報を基にして生成した計測情報を「発電者の計測情報」と記載し、消費部１０２から取得した情報を基にして生成した計測情報を「消費者の計測情報」と記載することにする。
【００７２】
なお、計測情報取得部２１１は、発電部１０１や消費部１０２の通信網上にあけるアドレス例えばインターネット上のＩＰ（Internet  Protocol）アドレスと、発電部１０１や消費部１０２の識別子とを関連付けてあらかじめ記憶している。図１０Ａ及び図１０Ｂは、本発明による第１の実施の形態における発電部１０１や消費部１０２のＩＰアドレスと識別子とを関連付けた情報の一例をテーブル形式で例示するテーブルである。
【００７３】
図１０Ａ及び図１０Ｂに示す関連付けテーブルにおいては、図１０Ａには、消費者識別子：消費者１とＩＰアドレス：ＡＡＡ．ＢＢＢ．ＣＣＣ．ＤＤＤとが、関連付けられている例を示している。また、図１０Ｂには、発電者識別子：発電者１とＩＰアドレス：ＥＥＥ．ＦＦＦ．ＧＧＧ．ＨＨＨとが、関連付けている例を示している。計測情報取得部２１１は、発電部１０１や消費部１０２にアクセスする際に、図１０Ａ及び図１０Ｂに示す関連付けテーブルに設定されている発電部１０１や消費部１０２のＩＰアドレスを取り出して、インターネット上の宛先情報として用いる。
【００７４】
さらに、計測情報取得部２１１は、発電部１０１や消費部１０２からそれぞれ電力量を受け取った際の送信元を示す発電部１０１や消費部１０２のＩＰアドレス、あるいは、発電部１０１や消費部１０２にアクセスする際に用いたＩＰアドレスを用いて、図１０Ａ及び図１０Ｂに示す関連付けテーブルを参照することにより、電力量と計測時刻とを取得した発電部１０１や消費部１０２の識別子を決定する。なお、関連付けテーブルに設定するインターネット上の発電部１０１や消費部１０２のアドレス情報としては、ＩＰアドレスに限定するものではなく、例えば、ＨＴＴＰ（Hypertext  Transfer  Protocol）におけるＵＲＩ（Uniform  Resource  Identifier）やＵＲＬ（Uniform  Resource  Locator）、ＳＳＬ(Secure  Socket  Layer)におけるクライアント証明書、ＩＤ／パスワードなど、インターネット上で発電部１０１や消費部１０２を一意に識別することができる情報を適宜利用することができる。
【００７５】
＜＜電力識別装置２００のハードウェア構成例＞＞
図１１は、本発明による第１の実施の形態における電力識別装置２００のハードウェア構成の一例を例示するブロック構成図である。図１１に例示するように、電力識別装置２００は、バス１１０１、プロセッサ１１０２、メモリ１１０３、ストレージ１１０４、および、入出力インタフェース１１０５、を少なくとも含んで構成されている。ストレージ１１０４には、属性演算モジュール１１０４ａ、属性出力モジュール１１０４ｂ、ルール管理モジュール１１０４ｃ、計測情報収集蓄積モジュール１１０４ｄ、仮想計測情報取得モジュール１１０４ｅ、および、計測情報取得モジュール１１０４ｆなどの各種演算モジュールが格納されている。
【００７６】
バス１１０１は、プロセッサ１１０２、メモリ１１０３、ストレージ１１０４および入出力インタフェース１１０５が、相互に、データを送受信するためのデータ伝送路である。
【００７７】
プロセッサ１１０２は、ＣＰＵ（Central  Processing  Unit）やＧＰＵ（Graphics  Processing  Unit）などの演算処理装置である。プロセッサ１１０２は、ストレージ１１０４に記憶されている各種の演算モジュールを実行することによって、図３に示した属性演算部２０１、属性出力（可視化）部２０２、ルール管理部２０４、計測情報収集蓄積部２０６、仮想計測情報取得部２０８、および、計測情報取得部２１１の各機能を実現する。
【００７８】
メモリ１１０３は、ＲＡＭ（Random  Access  Memory）やＲＯＭ（Read  Ｏnly  Memory）などのメモリである。
【００７９】
ストレージ１１０４は、ハードディスク、ＳＳＤ（Solid  State  Drive）、メモリカードなどの記憶装置である。あるいは、ストレージ１１０４は、ＲＡＭやＲＯＭ等のメモリであっても良い。
【００８０】
入出力インタフェース１１０５は、電力識別装置２００が外部との間でデータを送受信するための入出力インタフェースである。ここで、外部とは、利用者（発電者や消費者）やオペレータや他のシステムなどを意味している。例えば、電力識別装置２００が、発電部１０１や消費部１０２から電力量の情報を取得するときは、入出力インタフェース１１０５を用いる。なお、入出力インタフェース１１０５は、キーボード等の入力装置から情報を取得するためのインタフェースを含んで構成されていても良いし、ストレージ等の外部装置から情報を取得するためのインタフェースを含んで構成されていても良いし、あるいは、ネットワークを介して情報を取得するためのインタフェースを含んで構成されていても良い。
【００８１】
［第１の実施の形態の動作例の説明］
次に、本発明による第１の実施の形態に係る電力識別装置２００の全体の動作の一例について、図１２のフローチャートと図１３のフローチャートとを参照して、詳細に説明する。図１２は、本発明による第１の実施の形態における電力識別装置２００の電力識別動作の一例を例示するフローチャートである。また、図１３は、本発明による第１の実施の形態における電力識別装置２００の属性演算動作の一例を例示するフローチャートである。以降の説明においては、計測情報が図４Ａ及び図４Ｂに示した情報であり、仮想計測情報が図５Ａ及び図５Ｂに示した情報であり、生成ルールが図７に示したルールであり、分配ルールが図８に示したルールであり、損失ルールが図９に示したルールである場合を例にして、具体的に説明する。なお、図１２に例示する電力識別動作は、あらかじめ定めた周期例えば１分単位で実施される。
【００８２】
まず、図１２に例示するフローチャートを用いて、電力識別装置２００の電力識別動作の流れを順次説明する。
（１）ステップＳ１２０１  発電の電力量と時刻の取得
図３に示す計測情報取得部２１１は、各発電部１０１から発電した電力量と計測時刻とを取得し、計測情報（発電者の計測情報）を生成して、生成した計測情報を計測情報収集蓄積部２０６に引き渡す。
【００８３】
（２）ステップＳ１２０２  消費の電力量と時刻の取得
次いで、計測情報取得部２１１は、各消費部１０２から消費した電力量と計測時刻とを取得し、計測情報（消費者の計測情報）を生成して、生成した計測情報を計測情報収集蓄積部２０６に引き渡す。
【００８４】
（３）ステップＳ１２０３  仮想計測情報の生成
次に、図３に示す仮想計測情報取得部２０８は、計測情報取得部２１１から計測情報を取得するとともに、属性演算部２０１から損失ルールを取得して、取得した計測情報と損失ルールとに基づいて、仮想計測情報を生成して、生成した仮想計測情報を計測情報収集蓄積部２０６に引き渡す。ここで、属性演算部２０１は、仮想計測情報取得部２０８からの要求に応じて、ルール管理部２０４から損失ルールを取得して、取得した損失ルールを仮想計測情報取得部２０８に引き渡す。
【００８５】
次に、仮想計測情報取得部２０８における仮想計測情報の生成手順について以下に具体的に説明する。
【００８６】
（段階Ｂ１）：
まず、計測情報取得部２１１から取得した発電者の計測情報から、発電者の電力量の合計値Ｐｓｕｍを算出する。ここでは、図４Ａの計測情報に示すように、発電者の計測情報は、発電者１に係る情報のみである。したがって、発電者の電力量の合計値Ｐｓｕｍ＝１０Ｗｈと算出される。
【００８７】
（段階Ｂ２）：
しかる後、算出された発電者の電力量の合計値Ｐｓｕｍに、損失ルールを適用して、発電者の電力量が消費者に供給される時点における電力量を算出する。ここで、具体的な数値例として、図９に示した損失ルール（如何なる発電者から消費者に分配する場合であっても、損失比率は１０％固定であるとのルール）を適用して、前記（段階Ｂ１）において算出された発電者の電力量の合計値Ｐｓｕｍ＝１０Ｗｈから損失分１０％（損失量１Ｗｈ）を減算し、９Ｗｈと算出する。
【００８８】
（段階Ｂ３）：
次いで、計測情報取得部２１１から取得した消費者の計測情報から、消費者の電力量の合計値Ｃｓｕｍを算出する。ここでは、図４Ｂの計測情報に示すように、消費者の計測情報は、消費者１に係る情報のみである。したがって、消費者の電力量の合計値Ｃｓｕｍ＝１５Ｗｈと算出される。
【００８９】
（段階Ｂ４）：
しかる後、前記（段階Ｂ２）において損失ルールを適用して算出された消費者に供給される時点における発電者の電力量と前記（段階Ｂ３）において算出された消費者の電力量の合計値Ｃｓｕｍとの比較結果に基づいて、発電者の発電余剰や発電不足を補うための仮想計測情報を生成する。ここで、前述の具体的な数値例においては、前記（段階Ｂ２）と前記（段階Ｂ３）とにおけるそれぞれの算出結果に示したように、「（Ｐｓｕｍ−損失量）  ＜  Ｃｓｕｍ」である。したがって、仮想発電者として必要とする電力量（電力会社による売電の電力量）は、損失ルールによる損失分を考慮して、
｛Ｃｓｕｍ−（Ｐｓｕｍ−損失量）｝×１０／９
＝  ｛１５−（１０−１）｝×１０／９
＝  ６Ｗｈ×１０／９
＝  ６０／９Ｗｈ
であり、一方、仮想消費者の電力会社による買電の電力量は０Ｗｈであると算出される。
【００９０】
かかる算出の結果を基にして、図５Ａ及び図５Ｂの仮想計測情報に示すように、該仮想発電者の電力会社を示す発電者識別子が発電者０、計測時刻が２０１４／１／１  ００：００：００、仮想電力量が６０／９Ｗｈを示す仮想発電者の計測情報を生成するとともに、該仮想消費者を示す消費者識別子が消費者０、計測時刻が２０１４／１／１  ００：００：００、仮想電力量が０Ｗｈを示す仮想消費者の計測情報を生成する。
【００９１】
（４）ステップＳ１２０４  計測情報の収集蓄積
次に、図１２のフローチャートの説明に戻って、図３に示す計測情報収集蓄積部２０６は、計測情報取得部２１１と仮想計測情報取得部２０８とから、それぞれ、計測情報と仮想計測情報とを受け取り、受け取った計測情報と仮想計測情報とを、図２において定義した計測情報記憶部２０７によって、記憶する。さらに、計測情報収集蓄積部２０６は、受け取った計測情報と仮想計測情報とを、属性演算部２０１に引き渡す。
【００９２】
（５）ステップＳ１２０５  属性演算
次いで、図３に示す属性演算部２０１は、計測情報収集蓄積部２０６から計測情報（実測された計測情報のみならず仮想計測情報をも含む情報）を取得すると、ルール管理部２０４から所望のルールセットのうち生成ルールを取得する。ここで、損失ルールについては、ステップＳ１２０３においてルール管理部２０４から取得済みのルールを使う。しかる後、属性演算部２０１は、取得した生成ルールと取得済みの損失ルールと計測情報収集蓄積部２０６から取得した計測情報（仮想計測情報も含む）とに基づいて、属性情報を生成し、生成した属性情報を属性出力(可視化)部２０２に引き渡す。なお、属性演算の詳細な動作については、図１３に示すフローチャートの説明として後述する。
【００９３】
（６）ステップＳ１２０６  属性出力
次に、図３に示す属性出力(可視化)部２０２は、属性演算部２０１から引き渡された属性情報を取得し、取得した属性情報を、図２において定義した属性情報記憶部２０３によって、記憶する。さらに、属性出力(可視化)部２０２は、属性情報を可視化した情報(具体的には、例えばブラウザなどＷｅｂアプリケーションの表示機能により画面表示可能な情報)に変換して、オペレータや利用者（発電者や消費者等の加入者）等に対して、出力する。
【００９４】
次に、図１３に例示するフローチャートを用いて、電力識別装置２００の属性演算動作の流れ（すなわち、図１２におけるステップＳ１２０５の詳細な流れ）を順次説明する。
（１）ステップＳ１３０１  計測情報の取得
まず、図３に示す属性演算部２０１は、計測情報収集蓄積部２０６から計測情報(実測した計測情報と仮想の計測情報とを含む情報)を取得する。
【００９５】
（２）ステップＳ１３０２  ルールセットの取得
次いで、属性演算部２０１は、ルール管理部２０４から、生成ルールおよび分配ルールを所望のルールセットとして取得する。なお、所望のルールセットを構成する残りの損失ルールは、図１２のフローチャートのステップＳ１２０３において取得済みのルールを使う。
【００９６】
（３）ステップＳ１３０３  発電者の計測情報有無の判定
しかる後、属性演算部２０１は、発電者(仮想発電者も含む)の計測情報のいずれか一つを選択する動作を行う。ここで、発電者の計測情報が存在している場合には、ステップＳ１３０４へ進み、発電者の計測情報が存在していない場合には、ステップＳ１３１０へ進む。前述の具体例においては、図４Ａの計測情報と図５Ａの仮想計測情報とに示すように、発電者の計測情報として、発電者１の計測情報と発電者０の計測情報とが存在している。なお、属性演算部２０１において発電者の計測情報を選択する順序は、ランダムでも良いし、番号順であっても良い。
【００９７】
（４）ステップＳ１３０４  生成ルールの適用
発電者の計測情報が存在している場合には、次に、属性演算部２０１は、ステップＳ１３０３において選択した発電者の計測情報の発電者識別子をキーとして、関連する生成ルールを抽出する。しかる後、属性演算部２０１は、抽出した生成ルールに基づいて、発電者の計測情報から属性情報を生成する。ここでは、選択した発電者の計測情報が、図４Ａの発電者１の計測情報であり、発電者識別子が発電者１の場合を例にして説明することとし、次のような手順により、属性情報を生成する。
【００９８】
属性演算部２０１は、発電者の計測情報と生成ルールとに基づいて、属性情報の発電電力量と付加属性(電源の種類)とを算出する。ここでは、図４Ａの計測情報に例示するように、発電者の計測情報としては、発電者識別子が発電者１、計測時刻が２０１４／１／１  ００：００：００、発電した電力量が１０Ｗｈである場合に該当する。発電者１に関連する生成ルールとしては、図７の生成ルールに例示するように、生成条件の発電者識別子が発電者１であり、対応する生成方法の付加属性である電源の種類が風力であり、比率が１００％（すなわち電源の種類は風力のみ）である、というルールが検出される。属性演算部２０１は、かくのごとき発電者の計測情報と生成ルールとに関する情報に基づいて、属性情報として、次のような属性情報Ａを生成する（該生成動作の結果、属性情報として値が埋まる箇所は、次の（ａ）、（ｂ）、（ｃ）、（ｅ）欄の情報である)。
【００９９】
生成される属性情報(属性情報Ａ)：
（ａ）電力量        ：１０Ｗｈ
（ｂ）時刻          ：２０１４／１／１  ００：００：００
（ｃ）発電者識別子  ：発電者１
（ｄ）消費者識別子  ：Ｎｕｌｌ
（ｅ）電源の種類    ：風力
（ｆ）電力量の期待値：Ｎｕｌｌ
【０１００】
なお、選択した計測情報に該当する発電者の計測情報に係る生成ルールが無かった場合には、（ｅ）欄に示す電源の種類として、任意の電源の種類を意味するＡｎｙが比率１００％として規定されているものと見做して、属性情報を生成する。
【０１０１】
さらなる説明のための別の例として、発電者２に係る属性情報について説明する。発電者２に係る生成ルールは、図７に例示するように、発電者２の計測情報から生成する付加属性（電源の種類）として、火力の比率が８０％と風力の比率が２０％と規定されている。かかる場合には、発電者２の計測情報における電力量を、生成ルールによって規定された前記比率を用いて二つに分解して、二つの属性情報を生成する。第１番目の属性情報の電源の種類は火力であり、第２番目の属性情報の電源の種類は風力であり、また、二つの属性情報それぞれの電力量は、計測情報の電力量を８：２の比率で分配した値（第１番目の属性情報の電力量が８Ｗｈ、第２番目の属性情報の電力量が２Ｗｈ）として生成される。
【０１０２】
本ステップＳ１３０４においては、実測された計測情報のみならず、仮想計測情報についても、同様に、属性情報の生成処理を行う。ここでは、図５Ａの仮想計測情報に例示するように、仮想発電者の仮想計測情報としては、発電者識別子が発電者０、計測時刻が２０１４／１／１  ００：００：００、電力量が６０／９Ｗｈ（＝６Ｗｈ×１０／９）である場合に該当する。発電者０に関連する生成ルールとしては、図７の生成ルールに例示するように、生成条件の発電者識別子が発電者０であり、対応する生成方法の付加属性である電源の種類が電力会社電源であり、比率が１００％（すなわち電源の種類は電力会社電源のみ）である、というルールが検出される。属性演算部２０１は、かくのごとき仮想発電者の仮想計測情報と生成ルールとに関する情報に基づいて、属性情報として、次のような属性情報Ｂを生成する（該生成動作の結果、属性情報として値が埋まる箇所は、次の（ａ）、（ｂ）、（ｃ）、（ｅ）欄の情報である)。
【０１０３】
生成される属性情報(属性情報Ｂ)：
（ａ）電力量        ：６０／９Ｗｈ
（ｂ）時刻          ：２０１４／１／１  ００：００：００
（ｃ）発電者識別子  ：発電者０
（ｄ）消費者識別子  ：Ｎｕｌｌ
（ｅ）電源の種類    ：電力会社電源
（ｆ）電力量の期待値：Ｎｕｌｌ
【０１０４】
（５）ステップＳ１３０５  分配ルールの有無の判定
次に、属性演算部２０１は、ステップＳ１３０４において生成した当該属性情報に係る分配ルールの有無を判定する。すなわち、当該属性情報の発電者識別子をキーとして、関連する分配ルールを抽出する。当該属性情報の発電者識別子が示す発電者の分配ルールが存在している場合には、ステップＳ１３０６へ進む。一方、該発電者の分配ルールが存在していない場合は、当該属性情報を分配することなく、次の計測情報を処理するために、ステップＳ１３０３に復帰する。ただし、ステップＳ１３０３に復帰する場合であっても、ステップＳ１３０４において生成した属性情報は破棄することなく、消費者に未分配の属性情報として一時的に記憶する。分配ルールは、前述の通り、消費者の嗜好に従った分配の比率や量を規定するルールである。したがって、いずれの消費者の嗜好にも合わない発電者に関しては、分配ルールは規定されていない。
【０１０５】
ここで、ステップＳ１３０４において生成した属性情報が属性情報Ａの場合は、発電者識別子が発電者１であり、図８に例示するように、発電者１に関係する分配ルールが存在している。具体的には、図８においては、発電者識別子が発電者１、消費者識別子が消費者１、分配比率が１００％と規定されている。したがって、属性情報Ａの場合は、ステップＳ１３０６へ進む。
【０１０６】
一方、ステップＳ１３０４において生成した属性情報が属性情報Ｂの場合は、発電者識別子が発電者０であり、図８においては、発電者０に関係する分配ルールが存在していない。したがって、属性情報Ｂの場合は、分配する処理を行うことなく、ステップＳ１３０３に復帰する。ここで、前述したように、関係する分配ルールが無い属性情報（属性情報Ｂ）の場合であっても、ステップＳ１３０４において生成した属性情報（属性情報Ｂ）を削除することなく、以降の処理に備えて、消費者に未分配の属性情報として一時的に記憶する。
【０１０７】
（６）ステップＳ１３０６  分配ルールの適用
分配ルールが存在している属性情報であった場合として、ステップＳ１３０６に進むと、属性演算部２０１は、当該属性情報に係る分配ルールに基づいて、ステップＳ１３０４において生成した属性情報を消費者に分配しようとする（前述の具体例においては、属性情報Ａを消費者１に分配しようとする）。なお、この時点においては、分配ルールに従って暫定的に消費者に分配しようとする動作であって、分配を確定したものではない。つまり、ステップＳ１３０６においては、次のように、属性情報を分配しようとすることを決定する。
【０１０８】
ステップＳ１３０４において生成した属性情報Ａに係る分配ルールは、前述のように、発電者識別子が発電者１、消費者識別子が消費者１、分配比率１００％を規定している。したがって、全ての属性情報Ａを消費者１に分配しようとする。しかる後、当該属性情報Ａを消費者１に分配しようとすることを示すために、属性情報の消費者識別子として消費者１を設定する。その結果、分配ルールの適用後の属性情報として、属性情報Ａを次のような属性情報Ｃに更新する（該更新動作の結果、属性情報として値が埋まる箇所は、次の（ｄ）欄の情報である)。なお、属性情報Ｃへの更新により、属性情報Ａは削除される。
【０１０９】
更新により新たに生成される属性情報(属性情報Ｃ)：
（ａ）電力量        ：１０Ｗｈ
（ｂ）時刻          ：２０１４／１／１  ００：００：００
（ｃ）発電者識別子  ：発電者１
（ｄ）消費者識別子  ：消費者１
（ｅ）電源の種類    ：風力
（ｆ）電力量の期待値：Ｎｕｌｌ
【０１１０】
さらなる分配方法に関する説明のための別の例として、属性情報が発電者２の計測情報から生成された属性情報の場合について説明する。発電者２に係る属性情報の場合、図８に例示するように、分配ルールは二つの分配方法を規定している。つまり、第１番目は、消費者識別子が消費者２の消費者に対して分配比率６０％を規定し、第２番目は消費者識別子が消費者３の消費者に対して分配比率４０％を規定している。
【０１１１】
したがって、当該属性情報（発電者２に係る属性情報）の電力量を、６：４の比率で分割して、それぞれを消費者１と消費者２とに分配しようとする。なお、ステップＳ１３０４において説明したように、発電者２の計測情報から二つの属性情報（すなわち、電源の種類が火力の属性情報と電源の種類が風の属性情報との二つの属性情報）が生成されているため、二つの属性情報それぞれが消費者２と消費者３とに分配されようとする結果として、合計４つ(＝２×２)の属性情報が生成されることになる。
【０１１２】
（７）ステップＳ１３０７  損失ルールの適用
ステップＳ１３０６において、分配ルールを適用して、属性情報Ｃに更新すると、属性演算部２０１は、次に、損失ルールに基づいて、ステップＳ１３０６において消費者１に対して分配しようとしている属性情報（属性情報Ｃ）の一次属性の電力量から損失分を減算する。
【０１１３】
ここで、損失ルールは、図９に示すように、如何なる発電者と消費者との組み合わせであっても損失比率１０％であることを規定しており、また、属性情報(属性情報Ｃ)の一次属性の電力量は１０Ｗｈであるので、一次属性の電力量１０Ｗから損失分１０％を減算することにより、属性情報Ｃを、新たな電力量９Ｗｈを含む属性情報Ｄに更新する。さらに、ここで算出した電力量と同じ値を、消費者１が発電者１からの供給電力量として期待することを示す電力量の期待値にも設定する。つまり、損失ルール適用後の属性情報として、属性情報Ｃを次のような属性情報Ｄに更新する（該更新動作の結果、属性情報として値が埋まる箇所は、次の（ａ）、（ｆ）欄の情報である)。なお、属性情報Ｄへの更新により、属性情報Ｃは削除される。
【０１１４】
更新により新たに生成される属性情報(属性情報Ｄ)：
（ａ）電力量        ：９Ｗｈ
（ｂ）時刻          ：２０１４／１／１  ００：００：００
（ｃ）発電者識別子  ：発電者１
（ｄ）消費者識別子  ：消費者１
（ｅ）電源の種類    ：風力
（ｆ）電力量の期待値：９Ｗｈ
【０１１５】
（８）ステップＳ１３０８  属性情報の第１の補正
次に、属性演算部２０１は、ステップＳ１３０８において更新した属性情報（属性情報Ｄ）に設定された電力量と、ステップＳ１３０１において取得した消費者の計測情報に含まれる電力量とを比較して、比較結果に応じて、供給側と消費側との間の電力量のズレを補正する。例えば、次のような補正を行う。
【０１１６】
（Ａ）「属性情報の電力量＞計測情報の電力量」の場合：
かかる場合は、発電者からの全ての電力量が分配されようとしている消費者において実際に消費される電力量が、属性情報（属性情報Ｄ）に設定された電力量よりも少ない場合であり、属性情報（属性情報Ｄ）をコピーして、次のような二つの属性情報を新たに生成する。第１番目の属性情報については、消費者へ分配する電力量に関する属性情報を生成するものであり、該属性情報の一次属性の電力量には、実際に消費された消費者の計測情報の電力量を設定して、消費者への分配を確定させる。
【０１１７】
また、第２番目の属性情報については、発電者の余剰電力に関する属性情報を生成するものであり、一次属性の電力量として、「属性情報（属性情報Ｄ）の電力量  −  消費者の計測情報の電力量」を算出して、ステップＳ１３０７における損失ルールの適用を解除した電力量(損失分１０％が無い状態に戻すために、１０／９を乗算した電力量)を設定する。さらに、消費者に未分配の属性情報として、付加属性の消費者識別子をＮｕｌｌに、付加属性の電力量の期待値をＮｕｌｌに、それぞれ、設定する。なお、第１番目の属性情報と第２番目の属性情報とを生成した後、コピー元の属性情報（属性情報Ｄ）を削除する。さらに、ステップＳ１３０１において取得した計測情報から、当該計測情報を削除する。
【０１１８】
（Ｂ）「属性情報の電力量≦計測情報の電力量」の場合：
かかる場合には、属性情報（属性情報Ｄ）の消費者への分配を確定させる。さらに、属性情報（属性情報Ｄ）の電力量を、ステップＳ１３０１において取得した当該計測情報の電力量から減算して、当該消費者に関する計測情報の新たな電力量とする。
【０１１９】
図４Ｂの計測情報に例示したような場合においては、消費者１が消費する電力量が１５Ｗｈであり、一方、消費者１に対して分配しようとしている属性情報Ｄの電力量が９Ｗｈであり、「属性情報の電力量≦計測情報の電力量」の場合に該当するため、属性情報Ｄの消費者１への分配を確定する。また、当該属性情報Ｄの電力量９Ｗｈを消費者１に係る計測情報に含まれる電力量から減算した結果として、消費者１が消費する１５Ｗｈの計測情報の電力量のうち、発電者１からは９Ｗｈの電力量しか供給されなく、不足分として、消費者１に残った計測情報の電力量は６Ｗｈとなる。
【０１２０】
さらなる説明のための別の例として、ステップＳ１３０１において取得した消費者１に係る計測情報の電力量が５Ｗｈであった場合について説明する。かかる場合には、「属性情報の電力量＞計測情報の電力量」の場合に該当するため、前述したように、第１の補正として、属性情報（属性情報Ｄ）をコピーして、次のような属性情報Ｅと属性情報Ｆとの二つの属性情報に更新して生成した後、コピー元の属性情報Ｄを削除する。
【０１２１】
ここで、新たに更新して生成される二つの属性情報のうち、第１の属性情報の属性情報Ｅにおいては、該属性情報Ｅの一次属性の電力量に消費者の計測情報の電力量５Ｗｈを設定する。つまり、属性情報として値が変更される箇所は、次の（ａ）欄の情報である。さらに、第１の属性情報の属性情報Ｅに関しては消費者１への分配を確定させる。
【０１２２】
更新により第１の属性情報として新たに生成される属性情報(属性情報Ｅ)： 
（ａ）電力量        ：５Ｗｈ
（ｂ）時刻          ：２０１４／１／１  ００：００：００
（ｃ）発電者識別子  ：発電者１
（ｄ）消費者識別子  ：消費者１
（ｅ）電源の種類    ：風力
（ｆ）電力量の期待値：９Ｗｈ
【０１２３】
また、第２の属性情報の属性情報Ｆにおいては、該属性情報Ｆの一次属性の電力量として、「属性情報Ｄの電力量９Ｗｈ  −  消費者の計測情報の電力量５Ｗｈ」の算出結果に、損失ルールの適用を解除するための値１０／９を乗算した電力量を設定するとともに、付加属性の消費者識別子と付加属性の電力量の期待値とにＮｕｌｌをそれぞれ設定する。属性情報として値が変更される箇所は、次の（ａ）、（ｄ）、（ｆ）欄の情報である。第２の属性情報である属性情報Ｆに関しては、消費者に未分配の属性情報として一時的に記憶する、また、第１番目の属性情報Ｅと第２番目の属性情報Ｆとを生成した後、コピー元の属性情報（属性情報Ｄ）を削除する。さらに、属性情報Ｅの分配を確定した消費者１に係る計測情報を削除する。
【０１２４】
更新により第２の属性情報として新たに生成される属性情報(属性情報Ｆ)： 
（ａ）電力量        ：４０／９Ｗｈ（＝４Ｗｈ×１０／９）
（ｂ）時刻          ：２０１４／１／１  ００：００：００
（ｃ）発電者識別子  ：発電者１
（ｄ）消費者識別子  ：Ｎｕｌｌ
（ｅ）電源の種類    ：風力
（ｆ）電力量の期待値：Ｎｕｌｌ
【０１２５】
（９）ステップＳ１３０９  属性情報の記録
属性演算部２０１は、ステップＳ１３０８において、属性情報の第１の補正として電力量のズレを補正して、消費者へ分配する属性情報を確定させると、次に、消費者への分配を確定させた属性情報に関する情報を、属性出力(可視化)部２０２に引き渡して、図２において定義した属性情報記憶部２０３によって記憶させた後、ステップＳ１３０３の動作に復帰する。なお、消費者に対して未分配の属性情報、例えば、ステップＳ１３０８においてさらなる説明のための別の例として説明した属性情報Ｆについては、一時的に記憶する。
【０１２６】
（１０）ステップＳ１３１０  属性情報の第２の補正
ステップＳ１３０３において、処理対象とする次の発電者の計測情報が存在しない状態に達すると、ステップＳ１３１０に進んで、属性演算部２０１は、消費者に未分配の属性情報と残った消費者の計測情報とを基にして、第２の補正を行う。該当する属性情報としては、ステップＳ１３０５において関係する分配ルールが存在していなかった属性情報（なお、前述の具体例においては、ステップＳ１３０８において、発電者側の余剰電力となった属性情報Ｆのような第２の属性情報は存在していない）と、ステップＳ１３０８において消費者に分配することができなかった属性情報、すなわち、「属性情報の電力量＜計測情報の電力量」の関係となって、発電者からの電力量の供給が不足して消費者に残った計測情報の電力量に関する属性情報と、が該当する。
【０１２７】
ここで、前述した具体的な例において、ステップＳ１３０１〜ステップＳ１３０９の演算動作を実施した結果、消費者に未分配の属性情報と、残った消費者の計測情報とは、それぞれ、ステップＳ１３０５において、関係する分配ルールが存在していない発電者０に関する属性情報Ｂと、ステップＳ１３０８において、消費者１が消費する１５Ｗｈの計測情報の電力量のうち、発電者１からの電力量の供給が不足し、消費者１に残った計測情報の電力量６Ｗに関する属性情報とである。すなわち、消費者に未分配の属性情報は、次に示すように、前述の属性情報Ｂであり、また、残った消費者の計測情報は、次の通りである。
【０１２８】
−消費者に未分配の属性情報−
属性情報Ｂ：
（ａ）電力量        ：６０／９Ｗｈ
（ｂ）時刻          ：２０１４／１／１  ００：００：００
（ｃ）発電者識別子  ：発電者０
（ｄ）消費者識別子  ：Ｎｕｌｌ
（ｅ）電源の種類    ：電力会社電源
（ｆ）電力量の期待値：Ｎｕｌｌ
【０１２９】
−残った消費者の計測情報−
消費者識別子が消費者１であり、消費電力量を計測した時刻が２０１４／１／１  ００：００：００であり、消費した電力量が６Ｗｈである。
【０１３０】
本ステップＳ１３１０における属性情報の第２の補正においては、消費者に未分配の属性情報を、残った消費者の計測情報に対して割り当てる動作を行う。具体的には、次のような割り当て動作を行う。
【０１３１】
（段階Ｃ１）：
まず、消費者に未分配の属性情報のうちいずれか一つを選択する。該属性情報の選択順序は、ランダムでも良いし、番号順であっても良い。前述の具体例においては、消費者に未分配の属性情報として、例えば、前述の属性情報Ｂを選択する。
【０１３２】
（段階Ｃ２）：
次に、前記（段階Ｃ１）において選択した属性情報を、残った消費者の計測情報に対して均等に分配する。本分配動作は、ステップＳ１３０６における分配ルールの適用において、該分配ルールの分配比率が、各消費者に対して均等と規定されている(例えば、該当する消費者が二人存在しているときは、各消費者それぞれへの分配比率が５０％ずつと規定されている)場合と同様の動作である。
【０１３３】
前述の具体例においては、該当する消費者は消費者１の一人のみであるので、前記（段階Ｃ１）において選択した属性情報Ｂは分割されることなく、全て、消費者１に対して分配される。したがって、本第２の補正によって分配した後の属性情報として、属性情報Ｂを次のような属性情報Ｇに更新する（該更新動作の結果、属性情報として値が埋まる箇所は、次の（ｄ）欄の情報である)。
【０１３４】
更新により新たに生成される属性情報(属性情報Ｇ)：
（ａ）電力量        ：６０／９Ｗｈ
（ｂ）時刻          ：２０１４／１／１  ００：００：００
（ｃ）発電者識別子  ：発電者０
（ｄ）消費者識別子  ：消費者１
（ｅ）電源の種類    ：電力会社電源
（ｆ）電力量の期待値：Ｎｕｌｌ
【０１３５】
（段階Ｃ３）：
さらに、前記（段階Ｃ２）において生成した属性情報Ｇに対して損失ルールを適用する。本動作は、属性情報の付加属性の一つである電力量の期待値を設定しない点を除いて、ステップＳ１３０７における損失ルールの適用の場合と全く同様である。前述の具体例においては、損失ルールを、図９に示すように、如何なる発電者と消費者との組み合わせであっても損失比率１０％と規定しているので、属性情報Ｇの一次属性の電力量から損失分１０％を減算する演算(すなわち、（６０／９Ｗｈ)×（９／１０）＝６Ｗｈ)を行うことによって、新たな電力量として、６Ｗｈを算出する。したがって、損失ルールの適用後の属性情報として、属性情報Ｇを次のような属性情報Ｈに更新する（該更新動作の結果、属性情報として値が埋まる箇所は、次の（ａ）欄の情報である)。
【０１３６】
更新により新たに生成される属性情報(属性情報Ｈ)：
（ａ）電力量        ：６Ｗｈ
（ｂ）時刻          ：２０１４／１／１  ００：００：００
（ｃ）発電者識別子  ：発電者０
（ｄ）消費者識別子  ：消費者１
（ｅ）電源の種類    ：電力会社電源
（ｆ）電力量の期待値：Ｎｕｌｌ
【０１３７】
（段階Ｃ４）：
しかる後、前記（段階Ｃ３）において更新した属性情報Ｈの電力量と、残った消費者の計測情報に含まれる電力量と、を比較して、電力量のズレを補正する。前記（段階Ｃ２）において複数の消費者に属性情報を分配した場合には、それぞれの属性情報について個別に補正する。本電力量ズレ補正動作については、ステップＳ１３０８における第１の補正動作の場合と同様の動作であり、属性情報の電力量と計測情報の電力量との比較結果に応じて、電力量のズレを補正する動作を行う。
【０１３８】
前述の具体例においては、属性情報Ｈの電力量と消費者１の計測情報の電力量とは、いずれも、６Ｗｈと相等しい電力量であるので、全ての属性情報Ｈを消費者１に分配することを確定する。その結果、消費者に分配されていない属性情報も、属性情報が分配されることなくまだ残っている消費者の計測情報も、全て存在していない状態になる。
【０１３９】
（段階Ｃ５）：
さらに、前記（段階Ｃ４）までの演算結果として、消費者に分配されていない属性情報、あるいは、属性情報が分配されていない消費者の計測情報がまだ残っている場合は、前記（段階Ｃ１）〜（段階Ｃ４）までの各段階の演算動作を繰り返す。前述の具体例においては、前記（段階Ｃ４）において記載したように、消費者に未分配の属性情報も、残った消費者の計測情報も存在していないため、本ステップＳ１３１０の第２の補正動作を終了する。
【０１４０】
（１１）ステップＳ１３１１  属性情報の記録
最後に、属性演算部２０１は、ステップＳ１３１０において、属性情報の第２の補正として、未分配の属性情報と残った計測情報とに関する補正動作を行って、消費者へ分配する属性情報を確定させると、次に、消費者への分配を確定させた属性情報に関する情報を、属性出力(可視化)部２０２に引き渡して、図２において定義した属性情報記憶部２０３によって記憶させた後、属性演算部２０１の演算動作を終了する。
【０１４１】
図１３に例示した以上のような属性演算部２０１の演算動作を行うと、図１２のステップＳ１２０６の動作が実行されて、属性出力(可視化)部２０２は、図１３におけるステップＳ１３０８の「属性情報の第１の補正」において消費者１への分配が確定した属性情報Ｄと、ステップＳ１３１０の「属性情報の第２の補正」において消費者１への分配が確定した属性情報Ｈと、を順次受け取って、可視化した情報に変換して、オペレータや加入者（消費者や発電者）、あるいは、第三者の他のシステムに対して出力する。その結果、例えば、消費者１は、属性情報Ｄの一次属性の電力量が９Ｗｈ、付加属性の電源の種類が風力、付加属性の電力量の期待値が９Ｗｈを示す情報と、属性情報Ｈの一次属性の電力量が６Ｗｈ、付加属性の電源の種類が電力会社電源、付加属性の電力量の期待値がＮｕｌｌを示す情報と、を受け取る。
【０１４２】
而して、該消費者１は、属性情報Ｄと属性情報Ｈとの二つの属性情報を受け取ることによって、当該消費者１に対する電力供給の実績をリアルタイムで容易に把握することができる。例えば、消費者１は、属性情報の電力量と電力量の期待値とを比較することによって、期待通りの電力供給を得たか否かということについても容易かつ確実に把握することができる。さらに、二つの属性情報の電力量と各電源の種類とから、消費者１は、自身が消費した消費電力１５Ｗｈに関する電源の種類の内訳として、風力が９Ｗｈであり、電力会社電源が６Ｗｈであることを容易かつ確実に把握することができる。
【０１４３】
なお、さらなる説明のための別の例として、例えば、図４Ａに示す発電者識別子が発電者１である発電者に関する計測情報の電力量が２０Ｗｈであり、かつ、図８に示す分配ルールにおいて、発電者識別子が発電者１であり、消費者識別子が消費者１である消費者への分配比率が５０％であった場合について、さらに説明する。ここで、その他の情報については、前述した具体例の場合と同様であるものとする。
【０１４４】
かかる場合においては、消費者１に対する分配ルールにおける分配比率５０％および損失ルールにおける損失比率１０％を適用した後の属性情報の電力量は９Ｗｈ（＝２０Ｗｈ×０．５×０．９）であり、消費者１の計測情報の電力量が１５Ｗｈであるので、図１３のステップＳ１３０８における「属性情報の第１の補正」において、「属性情報の電力量≦計測情報の電力量」に該当する場合であり、前述の属性情報Ｄの場合と同様、次に示す属性情報Ｉが消費者１に分配される。
【０１４５】
属性情報Ｉ：
（ａ）電力量        ：９Ｗｈ(＝２０Ｗｈ×０．５×０．９) 
（ｂ）時刻          ：２０１４／１／１  ００：００：００
（ｃ）発電者識別子  ：発電者１
（ｄ）消費者識別子  ：消費者１
（ｅ）電源の種類    ：風力
（ｆ）電力量の期待値：９Ｗｈ(＝２０Ｗｈ×０．５×０．９)
【０１４６】
したがって、発電者１において消費者１に未分配の残りの属性情報は、次に示す属性情報Ｊであり、一方、残った消費者の計測情報は、前述の「−残った消費者の計測情報−」の場合と同様、消費者識別子が消費者１であり、時刻が２０１４／１／１  ００：００：００であり、電力量が６Ｗｈである。
【０１４７】
属性情報Ｊ：
（ａ）電力量        ：１０Ｗｈ 
（ｂ）時刻          ：２０１４／１／１  ００：００：００
（ｃ）発電者識別子  ：発電者１
（ｄ）消費者識別子  ：Ｎｕｌｌ
（ｅ）電源の種類    ：風力
（ｆ）電力量の期待値：Ｎｕｌｌ
【０１４８】
さらに、図１３のステップＳ１３１０における「属性情報の第２の補正」において、分配ルールとして消費者１に対する電力量の分配を行うことができる発電者（発電者１とは異なる発電者）、例えば、風力電源を消費者１に対して分配することができる発電者３において、消費者に対して未分配の状態にある属性情報が存在していることを確認すると、消費者１において残った消費者の計測情報の電力量に応じた属性情報が生成されて、消費者１に分配されることになる。その結果、消費者１には、さらに、次に示す属性情報Ｋが分配されることになる。
【０１４９】
属性情報Ｋ：
（ａ）電力量        ：６Ｗｈ
（ｂ）時刻          ：２０１４／１／１  ００：００：００
（ｃ）発電者識別子  ：発電者３
（ｄ）消費者識別子  ：消費者１
（ｅ）電源の種類    ：風力
（ｆ）電力量の期待値：Ｎｕｌｌ
【０１５０】
しかる後、図１２のステップＳ１２０６において、属性出力(可視化)部２０２は、消費者１への分配が確定した属性情報として、属性演算部２０１から属性情報Ｉと属性情報Ｋとの二つの属性情報を受け取り、受け取った属性情報Ｉと属性情報Ｋとを可視化した情報に変換して、例えば、消費者１に対して出力する。消費者１は、属性情報Ｉの一次属性の電力量が９Ｗｈ、付加属性の電源の種類が風力、付加属性の電力量の期待値が９Ｗｈを示す情報と、属性情報Ｋの一次属性の電力量が６Ｗｈ、付加属性の電源の種類が同じく風力、付加属性の電力量の期待値がＮｕｌｌを示す情報と、を受け取る。
【０１５１】
而して、該消費者１は、属性情報Ｉと属性情報Ｋとの二つの属性情報を受け取ることによって、電力供給の実績をリアルタイムに容易に把握することができる。例えば、消費者１は、属性情報の電力量と電力量の期待値とを比較することによって、期待通りの電力供給を得たか否かということを容易かつ確実に把握することができる。さらに、二つの属性情報の電力量と各電源の種類とから、消費者１は、自身が消費した消費電力１５Ｗｈに関する電源の種類の内訳として、１５Ｗｈ全ての電源が風力であることを容易かつ確実に把握することができる。あるいは、分配ルールの設定如何によっては、属性情報Ｋとして、属性情報Ｉと同様の発電者１を用いることも可能であり、また、消費者１に対して分配する電力量を、消費者１における電力量の期待値を超えて設定することも可能である。
【０１５２】
つまり、発電者や消費者の計測情報、分配ルール、損失ルールに応じて、消費者に分配される属性情報は異なる。したがって、例えば、「属性情報の電力量の期待値に対する電力量の過不足状態」、「消費者自身が消費する電力の電源の種類の内訳」など、消費者が把握することができる情報として、様々の情報を得ることができる。
【０１５３】
［第１の実施の形態における効果の説明］
次に、本第１の実施の形態における効果について説明する。本第１の実施の形態においては、あらかじめ定めた周期例えば１分単位ごとに、発電者と消費者との電力量に関する情報と、電源の種類などの情報とを含む属性情報を生成するための生成ルールと、消費者の嗜好に従い該属性情報を消費者に分配する分配ルールと、発電者から消費者までの伝送路（電力を送配電する伝送路）上の電力損失を考慮するための損失ルールと、に基づいて、属性情報を生成し、生成した該属性情報を消費者に対して提示するように構成されているので、消費者は、あらかじめ定めた周期例えば１分単位ごとに、ほぼリアルタイムで、電力供給の実績を容易かつ確実に把握することができる。
【０１５４】
次に、図１４と図１５とのイメージ図を用いて、本発明による第１の実施の形態における効果についてさらに具体的に説明する。図１４は、本発明による第１の実施の形態の効果を説明するためのイメージ図であり、「発電者の電力量≦消費者の電力量」の場合における消費者による電力供給の実績確認例を説明している。また、図１５は、本発明による第１の実施の形態の図１４とは異なる場合における効果を説明するためのイメージ図であり、「発電者の電力量＞消費者の電力量」の場合における消費者による電力供給の実績確認例を説明している。
【０１５５】
なお、図１４、図１５のいずれのイメージ図においても、消費者１が風力発電を希望しており、該消費者１に対しては発電者１の電力を１００％供給する際の電力供給の実績確認例について示している。また、本説明においては、生成ルールは図７に示したルールであり、分配ルールは図８に示したルールであるが、損失ルールについては、前述の図９の場合とは異なり、全区間０％（伝送路の損失なし）であるものとする。
【０１５６】
まず、図１４のイメージ図においては、図１４の右下側のグラフに示すように、全時間帯において、「発電者の電力量＜消費者の電力量」の関係となっている。したがって、消費者１は、図３に示した電力識別装置２００の属性出力(可視化)部２０２からあらかじめ定めた周期例えば１分単位ごとに出力されてくる図１４の右下側のようなグラフを参照することによって、消費者１自身が消費する電力に対して外部（発電者１）の風力発電電力が不足していることや、消費者１自身が消費した電力の内訳（電源の種類）として風力の電源のみならず電力会社の売電の電源が分配されているということについても、あらかじめ定めた周期例えば１分単位でほぼリアルタイムに把握することができる。
【０１５７】
また、図１５のイメージ図においては、図１５の右下側のグラフに示すように、発電者１における電力会社からの買電によって、全時間帯において、「発電者の電力量≧消費者の電力量」の関係となっている。したがって、消費者１は、図３に示した電力識別装置２００の属性出力(可視化)部２０２からあらかじめ定めた周期例えば１分単位ごとに出力されてくる図１５の右下側のようなグラフを参照することによって、消費者１自身が消費した電力の内訳として風力の電源であることや、外部の風力発電電力が消費電力に対して余剰になっているということについても、あらかじめ定めた周期例えば１分単位でほぼリアルタイムに把握することができる。
【０１５８】
また、本第１の実施の形態においては、電力識別を行う動作の周期として、前述のように、例えば１分単位で実施する場合について説明したが、かかる場合のみに限定されるものではない。電力識別する動作の周期として、例えば、５分、１０分や３０分、など、利用者の必要性に応じて、自由に設定することが可能である。具体的には、図３の電力識別装置２００の計測情報取得部２１１が、外部からの設定を受け付けることが可能な構成を採用することにより、オペレータや第三者の他のシステムなどから、電力識別の動作を行うための周期を任意に設定することができるようにしても良い。例えば、リアルタイムプライシングなどの課金に影響のある外部アプリケーションの課金の変動周期に合わせて設定するようにしても良いし、スマートメータなどの他システムのデータ収集の周期（例えば３０分）に合わせて設定するようにしても良い。
【０１５９】
さらに、本第１の実施の形態においては、属性情報が、付加属性として、電源の種類や電力量の期待値、発電者識別子や消費者識別子を含むものとして説明したが、かかる場合のみに限定するものではない。例えば、発電者が供給する電力の価格や環境負荷(ＣＯ２排出量算定係数)、地域など、電力の情報に付加し得る任意の情報を含むようにしても良い。
【０１６０】
さらに、本第１の実施の形態においては、分配ルールが、消費者の嗜好に基づいて規定されるものとして説明したが、かかる場合のみに限定するものではない。例えば、発電者と消費者との間の契約や、消費者に提供されるサービスメニューなど、属性情報の分配比率や分配量を決定付ける情報であれば、任意の情報を適用するようにしても良い。なお、分配ルールの分配方法を規定する情報として、分配比率（％）のみではなく、分配量を用いるようにしても良い。また、分配ルールの分配条件が、発電者を特定する発電者識別子によって指定され、分配方法が、消費者を特定する消費者識別子と該消費者の嗜好に従った分配比率または分配量を規定する情報とによって指定されることにしても良いし、分配条件が発電者を特定する発電者識別子と消費者を特定する消費者識別子とによって指定され、分配方法が該消費者の嗜好に従った分配比率または分配量を規定する情報によって指定されることにしても良い。
【０１６１】
さらに、本第１の実施の形態においては、分配ルールとして、図８に例示するように、属性情報の分配条件と分配方法とを規定し、分配条件に一致した場合に、当該分配条件に対応した分配方法に従って属性情報を分配することが規定されるものとして説明したが、かかる場合のみに限定するものではない。
【０１６２】
例えば、分配ルールとして、或る特定の発電者を希望する各消費者に対して当該発電者から等分に属性情報を分配するようにしたり、発電者が希望する各消費者に対して当該発電者から等分に属性情報を分配したりするようにしても良い。かかる場合においては、図３の電力識別装置２００の属性演算部２０１は、図１３のフローチャートにおけるステップＳ１３０３において選択した発電者の計測情報から生成した属性情報を、ステップＳ１３０６において、当該発電者を希望する各消費者に対して等分する、あるいは、当該発電者が希望する各消費者に対して等分するように動作すれば良い。
【０１６３】
さらに、このとき、図１３のフローチャートにおけるステップＳ１３１０の「属性情報の第１の補正」において、消費者に未分配の属性情報を、当該属性情報の発電者を希望する消費者に対して優先的に分配する、あるいは、当該発電者が希望する消費者に対して優先的に分配することを確定するように動作すれば良い。なお、ステップＳ１３１０において、分配する消費者が複数存在している場合には、ステップＳ１３０６の場合と同様、各消費者に対して再度等分しても良いし、または、消費者識別子の番号の若い順やランダムに各消費者に対して分配するようにしても良い。
【０１６４】
さらに、本第１の実施の形態においては、損失ルールが、全区間において共通の場合について説明したが、かかる場合のみに限定するものではない。例えば、発電者と消費者との組み合わせごとに、損失ルールを設定しても良い。つまり、例えば、発電者１から消費者１へ至るまでの間は、損失１０％であり、発電者１から消費者２へ至るまでの間は、損失１５％である、という設定を行うようにしても良い。また、損失ルールの損失方法を規定する情報として、損失率（％）のみではなく、損失量を用いるようにしても良い。
【０１６５】
さらに、本第１の実施の形態における効果として、消費者が、当該消費者自身が消費した電力の内訳や、外部の風力発電が消費に対して余剰になっていることなど、電力供給の実績を把握することができる場合について説明したが、電力供給の実績を把握することができるという効果を得ることができる対象は、消費者のみに限定するものではない。例えば、電力識別装置のオペレータや、発電者、さらには、第三者が、属性情報を取得して、電力供給の実績に関する種々の効果を得ることができるようにしても良い。
【０１６６】
［第２の実施の形態］
［第２の実施の形態の構成例］
次に、本発明の第２の実施の形態に係る電力識別装置の構成例について、図面を参照して詳細に説明する。なお、以下の第２の実施の形態の説明においては、第１の実施の形態との差分に関する構成や動作についてのみ説明する。
【０１６７】
前述した本発明による第１の実施の形態においては、発電者や消費者の計測情報、生成ルール、分配ルール、損失ルールに応じて、消費者に分配される属性情報が異なっていることを説明した。その結果として、例えば、「属性情報の電力量の期待値に対する電力量の過不足」が生じていることについても説明した。
【０１６８】
これに対して、本発明による第２の実施の形態においては、電力識別装置２００が、周期的に生成される属性情報に基づいて、「属性情報の電力量の期待値に対する電力量の過不足」を確認して、電力量の過不足に応じて、消費部１０２や発電部１０１に備えられている蓄電装置を充放電させる制御指示を行うことを可能にする場合について説明する。
【０１６９】
本発明による第２の実施の形態における電力識別装置２００が対象とする発電部１０１、消費部１０２、送配電網１０３の接続構成は、第１の実施の形態における図１の接続構成と同様であるが、消費部１０２や発電部１０１は、制御指示受信手段を備えて、外部からの要求に応じて蓄電装置の充放電を制御する仕組みをさらに備えている。
【０１７０】
次に、本発明による第２の実施の形態における電力識別装置の構成例について図１６のブロック定義図を用いて説明する。図１６は、本発明による第２の実施の形態における電力識別装置の機能ブロック定義の一例を示すブロック定義図である。なお、図１６に示す各機能ブロックは、第１の実施の形態における図２のブロック定義図の場合と同様、ハードウェア単位の構成ではなく、機能単位の構成を表しており、また、図１６の各機能ブロックに付されている矢印についても、図２のブロック定義図の場合と同様、各機能ブロック同士の結合関係を示している。
【０１７１】
図１６に示すように、第２の実施の形態における電力識別装置２００（すなわち電力識別部２００）は、第１の実施の形態における図２のブロック定義図の場合と同様の各機能ブロックを少なくとも備えるとともに、さらに、アクチュエーション部２１４を追加して備えている。ここで、アクチュエーション部２１４は、図１６において矢印で示すように、属性出力(可視化)部２０２の一部(共有関係)である。
【０１７２】
次に、図１６により機能ブロックの定義を行った電力識別装置２００のブロック構成の一例について図１７を用いて説明する。図１７は、本発明による第２の実施の形態における電力識別装置の内部ブロックの一例を示す内部ブロック図である。図１７においては、第１の実施の形態における図３の内部ブロック図の場合と同様、電力識別装置２００の各機能ブロック間の情報の流れについても示している。図１７の内部ブロック構成図に示すように、第２の実施の形態における電力識別装置２００は、第１の実施の形態における図３の内部ブロック構成図の場合と同様の各機能ブロックを少なくとも備えるとともに、さらに、アクチュエーション部２１４を追加して備えている。図１７の内部ブロック構成図を用いて、第２の実施の形態において新たに追加したアクチュエーション部２１４について以下に説明する。
【０１７３】
＜アクチュエーション部２１４＞
アクチュエーション部２１４は、消費者に分配された全ての属性情報を属性出力(可視化)部２０２から取得する。なお、アクチュエーション部２１４が取得する属性情報としては、特定の消費者に分配された属性情報のみであっても良いし、属性情報の付加属性の一つである「電力量の期待値」として有意な情報（Ｎｕｌｌではない情報）が設定されている属性情報のみを取得するようにしても良い。
【０１７４】
さらに、アクチュエーション部２１４は、属性情報の一次属性の「電力量Ｗ１」と、付加属性の「電力量の期待値Ｗ２」との間のズレＤ （＝Ｗ２−Ｗ１）［Ｗｈ］を算出する。ただし、電力量の期待値として無効なＮｕｌｌの情報が設定されている属性情報については処理しない。例えば、或る属性情報の一次属性の電力量Ｗ１が１０Ｗｈ、付加属性の電力量の期待値Ｗ２が１５Ｗｈである場合には、ズレＤ［Ｗｈ］は５Ｗｈとなる。なお、「電力量Ｗ１＞電力量の期待値Ｗ２」のときは、ズレＤ［Ｗｈ］は負の値となる。
【０１７５】
さらに、アクチュエーション部２１４は、ズレＤ［Ｗｈ］を、あらかじめ定めた時間例えば１分間の間に充放電するための充放電電力Ｐ［Ｗ］（充電は正の値、放電は負の値）を算出する。すなわち、充放電電力Ｐ［Ｗ｝＝Ｄ［Ｗｈ］×６０を算出する。例えば、ズレＤ［Ｗｈ］が５Ｗｈである場合には、充放電電力Ｐ＝５Ｗｈ×６０＝３００Ｗ（充電電力）となる。また、ズレＤ［Ｗｈ］が−５[Ｗｈ]である場合には、充放電電力Ｐ＝−３００Ｗ（放電電力）となる。 
【０１７６】
さらに、アクチュエーション部２１４は、取得した属性情報の消費者識別子によって一意に特定される消費部１０２に対する充放電の制御指示を決定する。具体的には、一意に特定された消費部１０２に対して今回出力する充放電の制御指示に含める充放電電力として、過去に出力した充放電の制御指示に含めた充放電電力に対して、現時点において新たに算出した充放電電力を加算した電力を決定する。
【０１７７】
例えば、過去の充放電の制御指示に含めた充放電電力が３００Ｗであり、現時点において新たに算出した充放電電力が３００Ｗであった場合には、両者の合計値６００Ｗ（充電電力）が今回の制御指示に含める充放電電力となる。また、過去の充放電の制御指示に含めた充放電電力が３００Ｗであり、現時点において新たに算出した充放電電力が−３００Ｗであった場合には、両者の合計値０Ｗが今回の制御指示に含める充放電電力となり、充放電停止の指示になる。また、過去の制御指示に含めた充放電電力が３００Ｗであり、現時点において新たに算出した充放電電力が−６００Ｗであった場合には、両者の合計値−３００Ｗ（放電電力）が今回の制御指示に含める充放電電力となる。
【０１７８】
なお、前述の説明においては、過去に出力した充放電の制御指示を参照して、消費部１０２の現在の充放電電力を把握するものとして説明したが、かかる場合のみに限定するものではない。例えば、消費部１０２に対して充放電電力を問い合わせることによって、現在の充放電電力を把握するようにしても良い。
【０１７９】
さらに、アクチュエーション部２１４は、取得した属性情報の消費者識別子によって一意に特定される消費部１０２に対して、充放電の制御指示を引き渡す。一意に特定される消費部１０２のネットワーク識別子は、第１の実施の形態の図１０Ａの関連付けテーブルにおける消費者識別子が示す消費者すなわち消費部１０２と該消費部１０２のＩＰアドレスとの関連情報を用いる。
【０１８０】
［第２の実施の形態の動作例の説明］
次に、本発明による第２の実施の形態に係る電力識別装置２００の全体の動作の一例について、第１の実施の形態に示す図１２のフローチャートを用いて、詳細に説明する。なお、本第２の実施の形態においては、電力識別装置２００の属性演算に関する動作については、第１の実施の形態において図１３のフローチャートに例示した動作と全く同様であるので、ここでの重複する説明は省略する。また、第１の実施の形態における図１２のフローチャートには図示していないが、本第２の実施の形態においては、図１２のフローチャートにおけるステップＳ１２０６の次に、以下に説明するステップＳ１２０７の動作が追加されている。つまり、本発明の第２の実施の形態に係る電力識別装置２００においては、図１２のフローチャートにおけるステップＳ１２０１〜ステップＳ１２０６に至るまで、第１の実施の形態において説明した動作と全く同様の動作を行った後、新たに追加したステップＳ１２０７の動作を行う。
【０１８１】
（１）ステップＳ１２０７  アクチュエーションの実施
アクチュエーション部２１４は、属性出力(可視化)部２０２から取得した属性情報に基づいて、該属性情報の消費者識別子によって一意に特定される消費部１０２に対して充放電の制御指示を引き渡す。具体的には、次のような手順に従って動作する。
【０１８２】
（段階Ｄ１）：
まず、消費者に分配された全ての属性情報を属性出力(可視化)部２０２から取得する。ここで、本第２の実施の形態においては、分配された全ての属性情報ではなく、次のような属性情報を取得するものとする。すなわち、消費者に分配された属性情報のうち、「属性情報の電力量＜計測情報の電力量」の関係にあり、第１の実施の形態のステップＳ１３０８（属性情報の第１の補正）において属性情報Ｄの更新により生成された第１の属性情報である次のような属性情報Ｅを取得するものとする。
【０１８３】
更新により第１の属性情報として新たに生成される属性情報(属性情報Ｅ)： 
（ａ）電力量        ：５Ｗｈ
（ｂ）時刻          ：２０１４／１／１  ００：００：００
（ｃ）発電者識別子  ：発電者１
（ｄ）消費者識別子  ：消費者１
（ｅ）電源の種類    ：風力
（ｆ）電力量の期待値：９Ｗｈ
【０１８４】
（段階Ｄ２）：
次に、取得した属性情報Ｅに基づいて、属性情報の一次属性の電力量と、付加属性の電力量の期待値との間のズレＤ［Ｗｈ］を算出する。ここで、属性情報Ｅの、電力量が５Ｗｈ、電力量の期待値が９Ｗｈであることから、ズレＤは４(＝９−５)Ｗｈと算出される。
【０１８５】
（段階Ｄ３）：
次に、前記（段階Ｄ２）において算出したズレＤ［Ｗｈ］に基づいて、充放電電力Ｐ［Ｗ］を算出する。ここで、前記（段階Ｄ２）において算出したズレＤ［Ｗｈ］は４Ｗｈであることから、充放電電力Ｐ［Ｗ］は充電電力を示す２４０Ｗ（＝４Ｗｈ×６０）と算出される。
【０１８６】
（段階Ｄ４）：
しかる後、当該属性情報の付加属性である消費者識別子により一意に特定される消費部１０２に対して出力すべき充放電の制御指示の内容を決定する。このために、まず、当該属性情報が特定する消費部１０２に対して現在までに指示した充放電電電力を把握する。本説明における具体例においては、一意に特定された消費部１０２に対して現在までに指示した充放電電力は０Ｗであるものと仮定する。かかる場合においては、消費部１０２に対して今回出力する充放電の制御指示に含める充放電電力は、過去に出力した充放電の制御指示に含めた充放電電力の０Ｗと前記（段階Ｄ３）において新たに算出した充放電電力のＰ［Ｗ］＝２４０Ｗとの合計値であるので、充放電の制御指示に含める充放電電力は、充電電力であり、２４０Ｗ（＝０Ｗ＋２４０Ｗ）と算出される。
【０１８７】
（段階Ｄ５）：
最終的に、当該属性情報の付加属性である消費者識別子により一意に特定される消費部１０２に対して、前記（段階Ｄ４）において算出された充放電電力２４０Ｗを含む充放電の制御指示を引き渡すことになる。ここで、属性情報Ｅに示すように、当該属性情報の消費者識別子が消費者１であることから、第１の実施の形態における図１０Ａの関連付けテーブルを参照することによって、ＩＰアドレスが「ＡＡＡ．ＢＢＢ.ＣＣＣ．ＤＤＤ」であることが分かる。したがって、ＩＰアドレス「ＡＡＡ．ＢＢＢ．ＣＣＣ．ＤＤＤ」を宛先として、通信網例えばインターネットを介して、消費者１の消費部１０２に備えている蓄電装置を充放電させるための充放電の制御指示(充放電電力２４０Ｗを含む制御指示)を送信する。
【０１８８】
消費者１の消費部１０２は、電力識別装置２００からの充放電の制御指示を制御指示受信手段により受け取ると、備えられている蓄電装置に対して該制御指示に従った充放電の動作を行わせる。
【０１８９】
［第２の実施の形態における効果の説明］
次に、本第２の実施の形態における効果について説明する。本第２の実施の形態においては、あらかじめ定めた周期例えば１分単位ごとに生成される属性情報に基づいて、該属性情報によって一意に特定される消費部１０２に対して充放電の制御指示を出力するアクチュエーション部２１４という機能ブロックを、第１の実施の形態における電力識別装置２００に対して新たに追加して構成されているので、消費者が期待する属性情報（計測情報とルールセットとに基づいて生成した属性情報） と当該消費者の消費部１０２に対して実際に分配することができた属性情報との間のズレに応じて、当該消費者の消費部１０２に備えている蓄電装置を充放電することができることになる。而して、「属性情報の電力量の期待値に対する電力量の過不足」の発生を回避させることができる。
【０１９０】
次に、図１８と図１９とのイメージ図を用いて、本発明による第２の実施の形態における効果についてさらに具体的に説明する。図１８は、本発明による第２の実施の形態の効果を説明するためのイメージ図であり、風力による発電電力の余剰分により消費部１０２の蓄電装置を充電している場合を説明している。また、図１９は、本発明による第２の実施の形態の図１８とは異なる場合における効果を説明するためのイメージ図であり、風力による発電の揺らぎに合わせて消費部１０２の蓄電装置を充電している場合を説明している。
【０１９１】
なお、図１８、図１９のいずれのイメージ図においても、第１の実施の形態における図１４、図１５の場合と同様に、属性情報において一意に特定される消費者１が風力発電を希望しており、該消費者１に対しては発電者１の電力を１００％供給する際の効果について示している。
【０１９２】
例えば、図１８のイメージ図においては、図１８の右下側のグラフに示すように、時刻ｔ１における動作(すなわち、図１２のフローチャートにおけるステップＳ１２０１〜Ｓ１２０６および本第２の実施の形態において追加したステップＳ１２０７までの演算動作)において、消費者１の消費部１０２が消費する電力量に対して、発電(風力)した電力量が余剰になっている。したがって、該時刻ｔ１において発電(風力)した電力量の余剰分により消費者１の消費部１０２の蓄電装置を充電しておき、次の時刻ｔ２において、消費する電力量に対して発電(風力)した電力量が不足している場合には、時刻ｔ１において充電しておいた蓄電装置からの電力量を供給する動作が行われていることを、消費者１は、ほぼリアルタイムに把握することができる。
【０１９３】
なお、本第２の実施の形態においては、アクチュエーション部２１４は、属性情報において、消費者に供給する発電電力量と消費者が消費しようとする電力量の期待値との間のズレに応じて、該当する消費部１０２に対して充放電の制御指示を出力する場合について説明したが、かかる場合のみに限定するものではない。例えば、属性情報において発電者が消費者に供給する発電電力量に応じて、該当する消費部１０２に対して充放電の制御指示を出力するようにしても良い。かくのごとき動作を行うことによって、図１９のイメージ図に示すように、消費者は、当該消費者自身が希望する発電者の発電電力量のゆらぎに合わせて消費部１０２の蓄電装置を充電することができるようになる。
【０１９４】
さらに、本第２の実施の形態においては、アクチュエーション部２１４は、任意の消費者に割り当てられた全ての属性情報の発電電力量の合計値（消費者の計測情報の電力量と同値）と、特定の属性情報の電力量との差分に応じて、該当する消費者の消費部１０２に対して充放電の制御指示を出すようにしても良い。かくのごとき動作を行うことによって、消費者は、当該消費者自身が希望する発電者の発電電力量と、当該消費者自身の消費部１０２における消費電力量とのズレに応じて、消費部１０２の蓄電装置を充放電させるようにすることができるようになる。
【０１９５】
さらに、本第２の実施の形態においては、電力識別装置２００のアクチュエーション部２１４が、該当する消費部１０２に対して充放電の制御指示を出力する場合について説明したが、消費部１０２ではなく、発電部１０１に対して充放電の制御指示を出すようにしても良い。かかる場合には、発電部１０１が、外部からの要求に応じて、当該発電部１０１自身に備えている蓄電装置の充放電を行うことになる。
【０１９６】
［第３の実施の形態］
［第３の実施の形態の構成例］
次に、本発明の第３の実施の形態に係る電力識別装置の構成例について、図面を参照して詳細に説明する。なお、以下の第３の実施の形態の説明においては、第１の実施の形態との差分に関する構成や動作についてのみ説明する。
【０１９７】
前述した本発明による第１の実施の形態においては、例えば、託送など電力会社の送配電網の利用を想定して、消費者と発電者との間の全区間において損失が一律である場合を対象とする電力識別装置２００について説明した。
【０１９８】
これに対して、本発明による第３の実施の形態においては、例えばマイクログリッドのように、電力会社の送配電網の利用を想定しない現実の伝送路、つまり、対象とするマイクログリッドごとにそのトポロジが異なり、また、伝送路上の区間ごとに損失が異なるという伝送路に対しても適用することができる電力識別装置２００について説明する。
【０１９９】
次に、本発明による第３の実施の形態における電力識別装置の構成例について図２０のブロック定義図を用いて説明する。図２０は、本発明による第３の実施の形態における電力識別装置の機能ブロック定義の一例を示すブロック定義図である。なお、図２０に示す各機能ブロックは、第１、第２の実施の形態それぞれにおける図２、図１６のブロック定義図の場合と同様、ハードウェア単位の構成ではなく、機能単位の構成を表しており、また、図２０の各機能ブロックに付されている矢印についても、図２、図１６のブロック定義図の場合と同様、各機能ブロック同士の結合関係を示している。
【０２００】
図２０に示すように、第３の実施の形態における電力識別装置２００（すなわち電力識別部２００）は、第２の実施の形態における図１６のブロック定義図の場合の各機能ブロックのうち、仮想計測情報取得部２０８およびその一部である仮想発電部２０９と仮想消費部２１０とを削除する一方、トポロジ管理部２１５とトポロジ記憶部２１６とを新たに追加して構成されている。
【０２０１】
つまり、第３の実施の形態において適用対象とするマイクログリッドのような構成の場合には、電力会社の買電や売電を仮想的に生成する仮想計測情報取得部２０８やその一部である仮想発電部２０９、仮想消費部２１０は不要であるので、本第３の実施の形態における電力識別装置２００（すなわち電力識別部２００）においては削除しても構わない。なお、図２０において矢印で示すように、新たに追加したトポロジ管理部２１５は、電力識別装置２００（すなわち電力識別部２００）の一部であり、トポロジ記憶部２１６は、トポロジ管理部２１５の一部である。
【０２０２】
次に、図２０により機能ブロックの定義を行った電力識別装置２００のブロック構成の一例について図２１を用いて説明する。図２１は、本発明による第３の実施の形態における電力識別装置の内部ブロックの一例を示す内部ブロック図である。図２１においては、第１、第２の実施の形態それぞれにおける図３、図１７の内部ブロック図の場合と同様、電力識別装置２００の各機能ブロック間の情報の流れについても示している。
【０２０３】
図２１の内部ブロック構成図に示すように、第３の実施の形態における電力識別装置２００は、第２の実施の形態における図１７の内部ブロック構成図の各機能ブロックのうち、仮想計測情報取得部２０８を削除する一方、トポロジ管理部２１５を新たに追加して備えている。図２１の内部ブロック構成図を用いて、第３の実施の形態において仮想計測情報取得部２０８の削除とトポロジ管理部２１５の追加に伴い機能を一部変更した属性演算部２０１、第３の実施の形態において新たに追加したトポロジ管理部２１５、および、伝送路上の区間ごとにトポロジが異なる場合においても対応可能とするためにルールセットの一部を変更したルール管理部２０４のそれぞれについて、以下に順次説明する。
【０２０４】
＜属性演算部２０１＞
属性演算部２０１は、トポロジ管理部２１５からトポロジ情報を取得する。さらに、属性演算部２０１は、第１、第２の実施の形態の場合と同様、あらかじめ定めた周期例えば１分単位ごとに、計測情報収集蓄積部２０６から取得した計測情報とルール管理部２０４から取得した所望のルールセット(生成ルール、分配ルール、損失ルール)とに基づいて属性情報を生成する。属性演算部２０１は、生成した属性情報を、取得したトポロジ情報と分配ルール、損失ルールとに基づいて、属性出力(可視化)部２０２へ引き渡すことにより、消費者に分配する。
【０２０５】
さらに、属性演算部２０１は、取得したトポロジ情報を基にして伝送路（電力を送配電する伝送路）をモデル化し、モデル化した伝送路上に属性情報を伝送する。そして、モデル化した伝送路上の分岐点においては、分配ルールに基づいて属性情報を分配し、かつ、モデル化した伝送路上においては、損失ルールに基づいて、属性情報を減算する演算動作を行う。詳細はさらに後述するが、以上のような動作が、第１、第２の実施の形態の場合における属性演算部２０１の動作とは異なっている。
【０２０６】
＜トポロジ管理部２１５＞
トポロジ管理部２１５は、外部から、トポロジ情報を受け取り、図２０にて定義したトポロジ記憶部２１６によって記憶する。ここで、外部とは、図示していないが、オペレータやトポロジ情報を生成する第三者の他のシステムなどのことである。
【０２０７】
また、トポロジ情報とは、発電部１０１、消費部１０２、および、発電部１０１と消費部１０２との間の伝送路上の分岐点、をノードと定義し、伝送路上の各経路をリンクと定義するとき、ノードの隣接関係（二つのノード間のリンク有無）を定義する情報のことである。トポロジ情報は、次の式（１）に示す隣接行列によって表現される。
【０２０８】
【数１】
2016110920.tif 000003
【０２０９】
発電部１０１と消費部１０２との間の伝送路をモデル化した模式図を図２２に示す。図２２は、本発明による第３の実施の形態において伝送路をモデル化した伝送路モデルの一例を示す模式図である。図２２の模式図においては、６個のノード(１個の発電者１(発電部１０１)、３個の消費者１〜３(消費部１０２)、２個の分岐点１〜２)と、５個のリンク(リンク１〜５)とによって構成される伝送路のモデルを示している。
【０２１０】
また、図２３は、本発明による第３の実施の形態における伝送路モデルを定義するためのトポロジ情報の一例をテーブル形式で例示する示すテーブルであり、図２２に例示した伝送路モデルにおけるトポロジ情報（隣接行列）を示している。図２３のトポロジ情報テーブルにおける交点は、伝送路モデルの各ノード間の接続関係を示しており、ノード間の直接的な接続を示すリンクが存在している場合には‘１’を、直接的な接続を示すリンクが存在していない場合には‘０’を設定している。
【０２１１】
例えば、図２２の伝送路モデルにおいて、発電者１と消費者１との間には直接的な接続を示すリンクが存在していないので、図２３のトポロジ情報テーブルにおいては、行「発電者１」または列「発電者１」と列「消費者１」または行「消費者１」とのそれぞれ交点にある要素は‘０’が設定されている。また、図２２の伝送路モデルにおいて、発電者１と分岐点１との間には直接的な接続を示すリンク１が存在しているので、図２３のトポロジ情報テーブルにおいては、行「発電者１」または列「発電者１」と列「分岐点１」または行「分岐点１」とのそれぞれ交点にある要素は‘１’が設定されている。
【０２１２】
なお、図２２に示す伝送路モデルは、マイクログリッドの伝送路の形態に応じて異なり、発電者や消費者、分岐点のノードの個数や、各ノード間を接続するリンクの個数は様々であり、それに応じて、式（１）によって定義されるトポロジ情報（隣接行列）も様々である。
【０２１３】
＜ルール管理部２０４＞
ルール管理部２０４は、外部から、生成ルールと分配ルールと損失ルールとのルールセットを受け取って、受け取ったルールセットを図２０にて定義したルール記憶部２０５によって記憶する。ここで、外部とは、消費者やオペレータ、発電者、あるいは、第三者の他のシステム（当該ルールを生成するアプリケーションやシステム）などのことである。本第３の実施の形態においては、分配ルールと損失ルールとのそれぞれが、第１、第２の実施の形態における分配ルールと損失ルールとのそれぞれとは異なっているが、ルール管理部２０４自体の機能、および、生成ルールに関しては、第１、第２の実施の形態の場合と全く同様である。以下に、本第３の実施の形態において第１、第２の実施の形態から変更して適用される分配ルール、損失ルールの各ルールの一例について詳細に説明する。
【０２１４】
（分配ルール）
分配ルールは、属性情報の分配条件と分配方法を規定し、規定した分配条件に一致した場合に、該分配条件に対応して規定されている分配方法を用いて属性情報を分配することを規定するルールである。本第３の実施の形態においては、例えば、分配条件は、発電者識別子と分岐点識別子との組み合わせを規定するものであり、分配方法は、分配先識別子を規定する情報と分岐点上における分配の比率や量とを規定するものである。
【０２１５】
分配ルールの一例を図２４に示す。図２４は、本発明による第３の実施の形態においてルール管理部２０４が管理する分配ルールの一例をテーブル形式で例示するテーブルである。図２４に例示する分配ルールは、分配条件が、前述のように、属性情報の付加属性における発電者識別子と伝送路モデル上の分岐点を特定する分岐点識別子とを規定する情報であり、分配方法が、分配条件にて分岐先識別子が示す分岐点ごとの分配比率を規定する情報である場合を示している。
【０２１６】
例えば、図２４に例示する分配ルールにおいては、分配条件として、発電者識別子が発電者１であり、分岐点識別子が分岐点１である場合には、分岐点１における分配方法として、分配比率が１００％であり、分配先識別子が分岐点２であることを規定する。つまり、発電者識別子として発電者１を含む属性情報が分岐点１を通過する場合に、該分配条件に一致して、対応する分配方法として、該属性情報を分配先識別子の分岐点２に対して１００％分配することを規定している。
【０２１７】
また、分配条件として、発電者識別子が発電者１であり、分岐点識別子が分岐点２である場合には、分岐点２における分配方法として、分配比率が１００％であり、分配先識別子が消費者１であることを規定する。つまり、発電者識別子として発電者１を含む属性情報が分岐点２を通過する場合に、該分配条件に一致して、対応する分配方法として、該属性情報を分配先識別子の消費者１に対して１００％分配することを規定している。
【０２１８】
（損失ルール）
損失ルールは、属性情報の損失条件と損失方法とを規定し、規定した損失条件に一致した場合に、該損失条件に対応して規定されている損失方法を用いて属性情報を減算することを規定するルールである。本第３の実施の形態においては、例えば、損失条件は、伝送路モデル上のリンクを特定するリンク識別子を規定するものであり、損失方法は、リンク識別子が示す個々の伝送路上における属性情報の発電電力量の損失比率や損失量を規定するものである。
【０２１９】
損失ルールの一例を図２５に示す。図２５は、本発明による第３の実施の形態においてルール管理部２０４が管理する損失ルールの一例をテーブル形式で例示するテーブルである。図２５に例示する損失ルールは、前述のように、損失条件が、伝送路モデル上の各ノード間を接続するリンクを特定するリンク識別子であり、損失方法が、伝送路モデル上の各ノード間を接続するリンクのうち、損失条件にてリンク識別子が示すリンクごとの損失率を規定する情報である場合を示している。
【０２２０】
例えば、図２５に例示する損失ルールにおいては、損失条件として、リンク識別子がリンク１の場合には、リンク１における損失方法として、損失率が１０％であることを規定する。つまり、属性情報がリンク１上を通過する場合に、該損失条件に一致して、対応する損失方法として、該属性情報の電力量を１０％減算することを規定している。
【０２２１】
［第３の実施の形態の動作例の説明］
次に、本発明による第３の実施の形態に係る電力識別装置２００の全体の動作に一例について、図２６のフローチャートを参照して、詳細に説明する。図２６は、本発明による第３の実施の形態における電力識別装置２００の属性演算動作の一例を例示するフローチャートである。なお、本第３の実施の形態においては、電力識別装置２００の電力識別に関する全体的な動作については、第１、第２の実施の形態における動作と全く同様であり、ここでの重複する説明は省略し、以降の説明においては、本第３の実施の形態において、第１、第２の実施の形態における動作とは異なる動作を行う電力識別装置２００の属性演算動作について第１、第２の実施の形態における属性演算動作（図１３のフローチャート）との差分を中心にして詳細に説明する。
【０２２２】
また、以降の説明においては、計測情報が第１の実施の形態の図４Ａ及び図４Ｂに示した情報であり、生成ルールが第１の実施の形態の図７に示したルールであり、分配ルールが図２４に示したルールであり、損失ルールが図２５に示したルールであり、トポロジ情報が図２３に示した情報（隣接行列）である場合を例にして、具体的に説明する。
【０２２３】
図２６に例示するフローチャートを用いて、電力識別装置２００の属性演算動作の流れを順次説明する。
（１）ステップＳ２６０１〜Ｓ２６０３  計測情報の取得〜発電者の計測情報有無の判定
本発明の第１の実施の形態における図１３のステップＳ１３０１〜Ｓ１３０３の動作と全く同様であり、ここでの重複する説明は省略する。
【０２２４】
（２）ステップＳ２６０４  トポロジ情報の取得
属性演算部２０１は、ステップＳ２６０３において発電者の計測情報が存在していることを検知すると、次に、トポロジ管理部２１５からトポロジ情報を取得する。ここでは、図２３に示したトポロジ情報を取得することによって、図２２に例示した伝送路モデルを作成する。
【０２２５】
（３）ステップＳ２６０５  生成ルールの適用
次に、属性演算部２０１は、ステップＳ２６０３において選択した発電者の計測情報の発電者識別子をキーとして、関連する生成ルールを抽出する。しかる後、属性演算部２０１は、抽出した生成ルールに基づいて、例えば発電者１の計測情報から属性情報を生成し、生成した該属性情報を、ステップＳ２６０４において作成した伝送路モデルにおける当該発電者である発電者１の位置に配置する。ここでは、本発明による第１の実施の形態におけるステップＳ１３０４の場合と同様に、属性演算部２０１は、属性情報として、次のような属性情報Ｌを生成する（該生成動作の結果、属性情報として値が埋まる箇所は、次の（ａ）、（ｂ）、（ｃ）、（ｅ）欄の情報である)。
【０２２６】
生成される属性情報(属性情報Ｌ)：
（ａ）電力量        ：１０Ｗｈ
（ｂ）時刻          ：２０１４／１／１  ００：００：００
（ｃ）発電者識別子  ：発電者１
（ｄ）消費者識別子  ：Ｎｕｌｌ
（ｅ）電源の種類    ：風力
（ｆ）電力量の期待値：Ｎｕｌｌ
【０２２７】
（４）ステップＳ２６０６  分配ルールの適用
次に、属性演算部２０１は、ステップＳ２６０２において取得した分配ルールを適用して、該分配ルールの分配条件に一致する分配方法に基づいて、該当する分配先に対して、ステップＳ２６０５において生成した属性情報（属性情報Ｌ）を分配する。すなわち、ステップＳ２６０４において作成した伝送路モデルを用いて、該当する分配先の位置まで属性情報（属性情報Ｌ）を伝送する。分配先の分岐点まで属性情報を伝送した後においては、今まで配置されていた分配元の属性情報を破棄する。
【０２２８】
なお、例えば、図２４の分配ルールに例示するように、ステップＳ２６０５において生成した属性情報（属性情報Ｌ）が発電者１の位置に配置されていて、該属性情報（属性情報Ｌ）に関する分配ルールとして分配条件と分配方法とが規定されていない場合には、伝送路モデルを用いて、該発電者１が直接的に接続されている分岐点１まで該属性情報（属性情報Ｌ）を伝送する。そして、属性情報（属性情報Ｌ）を分岐先の分岐点１の位置まで伝送した後に、発電者１の位置に配置されていた属性情報（属性情報Ｌ）を破棄する。
【０２２９】
つまり、前述のステップＳ２６０５における説明においては、属性情報Ｌは発電者１の位置に配置されていることから、図２４に示す分配ルールとしては、発電者１の位置に配置されている当該属性情報Ｌに関する分配条件と分配方法とが規定されない。したがって、前述のように、ステップＳ２６０４において作成した伝送路モデルを用いて、当該属性情報Ｌを、発電者１が直接的に接続されている分岐点の位置まで伝送する。ここで、ステップＳ２６０４において作成した伝送路モデルは、図２２に示す接続構成になっているので、発電者１がリンク１を介して直接的に接続されている分岐点は分岐点１であることが分かる。したがって、発電者１に配置されていた属性情報Ｌは分岐点１まで伝送され、しかる後、発電者１に配置されていた該属性情報Ｌは破棄されることになる。
【０２３０】
（５）ステップＳ２６０７  損失ルールの適用
次に、属性演算部２０１は、ステップＳ２６０６において属性情報Ｌを分岐点１まで伝送すると、図２５の損失ルールを適用して、ステップＳ２６０６において属性情報Ｌを発電者１から分岐点１まで伝送する際に用いたリンク１の損失量分だけ、当該属性情報Ｌの電力量から減算した値に、当該属性情報Ｌの電力量を変更する。さらに、ステップＳ２６０６において分岐点１まで伝送した当該属性情報Ｌの伝送先が消費者である場合には、当該属性情報Ｌの電力量の期待値に、減算後の電力量と同じ値を設定する。
【０２３１】
ここで、図２５の損失ルールには、属性情報Ｌを発電者１から分岐点１まで伝送する際に用いたリンク１の損失率が１０％と規定されており、当該属性情報Ｌの一次属性の電力量は１０Ｗｈである。したがって、損失ルールを適用すると、属性情報Ｌの電力量は、９Ｗｈ（＝１０Ｗｈ×９／１０）となる。その結果、属性演算部２０１は、損失ルール適用後の属性情報として、分岐点１の位置に配置された属性情報Ｌを次のような属性情報Ｍに更新する（該更新動作の結果、属性情報として値が埋まる箇所は、次の（ａ）欄の情報である)。なお、ステップＳ２６０６における属性情報Ｌの分配先は、消費者ではなく、分岐点１であったので、当該属性情報Ｌの電力量の期待値は変更しない。また、属性情報Ｍへの更新により、属性情報Ｌは削除される。
【０２３２】
更新により新たに生成される属性情報(属性情報Ｍ)：
（ａ）電力量：９Ｗｈ
（ｂ）時刻：２０１４／１／１  ００：００：００
（ｃ）発電者識別子：発電者１
（ｄ）消費者識別子：Ｎｕｌｌ
（ｅ）電源の種類：風力
（ｆ）電力量の期待値：Ｎｕｌｌ
【０２３３】
（６）ステップＳ２６０８  属性情報の位置の判定
しかる後、属性演算部２０１は、ステップＳ２６０６における分配ルールの適用結果として伝送された属性情報（属性情報Ｍ）の現在の存在位置を判定し、属性情報（属性情報Ｌ）の位置が、分岐点である場合には、ステップＳ２６０６に戻って、属性情報（属性情報Ｌ）の位置が、消費者に到達するまで、ステップＳ２６０６〜Ｓ２６０８までの動作を繰り返す。最終的に、属性情報が消費者の位置に到達した場合には、繰り返し動作から脱して、ステップＳ２６０９へ進む。
【０２３４】
図２３のトポロジ情報、図２２の伝送路モデルの場合においては、属性情報（属性情報Ｍ）の現在の存在位置が分岐点１であり、該属性情報（属性情報Ｍ）の最終的な伝送先となる消費者は、図２４の分配ルールにおいて規定されているように、消費者１である。したがって、発電者１に関する属性情報（属性情報Ｍ）は、図２４の分配ルールに従って、まず、現在位置の分岐点１から分岐点２までリンク３を介して伝送される。しかる後、分岐点１に配置されていた該属性情報（属性情報Ｍ）は破棄される。属性演算部２０１は、属性情報（属性情報Ｍ）を分岐点１から分岐点２まで伝送すると、図２５の損失ルールを適用して、ステップＳ２６０６において属性情報（属性情報Ｍ）を分岐点１から分岐点２まで伝送する際に用いたリンク３の損失量分だけ、当該属性情報Ｍの電力量からさらに減算した値に、当該属性情報Ｍの電力量を変更する。
【０２３５】
ここで、図２５の損失ルールには、属性情報Ｍを分岐点１から分岐点２まで伝送する際に用いたリンク３の損失率は１０％と規定されており、当該属性情報Ｍの一次属性の電力量は９Ｗｈである。したがって、損失ルールを適用すると、属性情報Ｍの電力量は、８．１Ｗｈ（＝９Ｗｈ×９／１０）となる。なお、属性情報Ｍの伝送先は、消費者ではなく、分岐点２であるので、当該属性情報Ｍの電力量の期待値は変更しない。その結果、属性演算部２０１は、損失ルール適用後の属性情報として、分岐点２の位置に配置された属性情報Ｍを次のような属性情報Ｎに更新する（該更新動作の結果、属性情報として値が埋まる箇所は、次の（ａ）欄の情報である)。なお、属性情報Ｎへの更新により、属性情報Ｍは削除される。
【０２３６】
更新により新たに生成される属性情報(属性情報Ｎ)：
（ａ）電力量：８．１Ｗｈ
（ｂ）時刻：２０１４／１／１  ００：００：００
（ｃ）発電者識別子：発電者１
（ｄ）消費者識別子：Ｎｕｌｌ
（ｅ）電源の種類：風力
（ｆ）電力量の期待値：Ｎｕｌｌ
【０２３７】
しかる後、再度、ステップＳ２６０６に戻って、図２３のトポロジ情報、図２２の伝送路モデルの場合において、存在位置が分岐点２に達していた発電者１に関する属性情報（属性情報Ｎ）が、図２４の分配ルールに従って、現在位置の分岐点２から消費者１までリンク４を介して伝送されると、分岐点２に配置されていた該属性情報（属性情報Ｎ）は破棄される。そして、属性演算部２０１は、図２５の損失ルールを適用して、ステップＳ２６０６において属性情報（属性情報Ｎ）を分岐点２から消費者１まで伝送する際に用いたリンク４の損失量分だけ、当該属性情報Ｎの電力量からさらに減算した値に、当該属性情報Ｎの電力量を変更する。
【０２３８】
ここで、図２５の損失ルールには、属性情報Ｎを分岐点２から消費者１まで伝送する際に用いたリンク４の損失率は１０％と規定されており、当該属性情報Ｎの一次属性の電力量は８．１Ｗｈである。したがって、損失ルールを適用すると、属性情報Ｎの電力量は、７．２９Ｗｈ（＝８．１Ｗｈ×９／１０）となる。なお、属性情報Ｎの伝送先は、消費者１であるので、当該属性情報Ｎの消費者識別子を消費者１に変更して設定するとともに、電力量の期待値を、変更後の一次属性の電力量と同一の値に設定する。その結果、属性演算部２０１は、損失ルール適用後の属性情報として、属性情報Ｎを次のような属性情報Ｏに更新する（該更新動作の結果、属性情報として値が埋まる箇所は、次の（ａ）、（ｄ）、（ｆ）欄の情報である)。なお、属性情報Ｏへの更新により、属性情報Ｎは削除される。
【０２３９】
更新により新たに生成される属性情報(属性情報Ｏ)：
（ａ）電力量：７．２９Ｗｈ
（ｂ）時刻：２０１４／１／１  ００：００：００
（ｃ）発電者識別子：発電者１
（ｄ）消費者識別子：消費者１
（ｅ）電源の種類：風力
（ｆ）電力量の期待値：７．２９Ｗｈ
【０２４０】
（７）ステップＳ２６０９  属性情報の第１の補正
ステップＳ２６０８において、属性情報（属性情報Ｏ）が最終的に消費者１に到達すると、属性演算部２０１は、消費者１に分配した属性情報（属性情報Ｏ）に設定されている電力量と、ステップＳ２６０１において取得した消費者１の計測情報に含まれる電力量とを比較して、比較結果に応じて、属性情報（属性情報Ｏ）の電力量のズレを補正する。本第３の実施の形態においては、第１の実施の形態の図１３のステップＳ１３０８（属性情報の第１の補正）における動作とは、次の点で異なる動作を行う。すなわち、「属性情報の電力量≦計測情報の電力量」の場合は、第１の実施の形態のステップＳ１３０８における動作と同じ動作を行うが、「属性情報の電力量＞計測情報の電力量」の場合には、次のように、異なる動作を行う。
【０２４１】
（Ａ）「属性情報の電力量＞計測情報の電力量」の場合：
かかる場合は、発電者１からの全ての電力量が分配されようとしている消費者１において実際に消費される電力量が、属性情報（属性情報Ｏ）に設定された電力量よりも少ない場合であり、消費者１の計測情報の電力量（実際に消費される電力量）に該当する電力量を有する属性情報を、発電者１から消費者１に対して分配することができる場合である。したがって、属性情報（属性情報Ｏ）の一次属性の電力量には、消費者１の計測情報の電力量を設定し、消費者１への分配を確定させる。ここで、第１の実施の形態においては、さらに、第２の属性情報として、すなわち、消費者１に対して分配していない残りの余剰電力量に関する属性情報として、「属性情報の電力量  −  消費者の計測情報の電力量」の電力量を算出した後、損失ルールによる損失分の適用を解除した電力量をさらに算出し、算出された該電力量を設定した属性情報を生成したが、本第３の実施の形態においては、かくのごとき第２の属性情報を生成する動作は行わない。
【０２４２】
なお、前述の具体例においては、「属性情報Ｏの電力量(７．２９Ｗｈ)＜計測情報の電力量(１５Ｗｈ)」の場合に該当しているので、発電者１からの属性情報Ｏを消費者１へ全て分配することができ、消費者１への分配を確定させる。また、消費者１の計測情報の電力量（１５Ｗｈ）から消費者１に分配した属性情報の電力量（７．２９Ｗｈ）を減算して、残った電力量（７．７１Ｗｈ）を当該消費者１に関する計測情報の新たな電力量とする。
【０２４３】
さらなる説明のための別の例として、ステップＳ２６０１において取得した消費者１に係る計測情報の電力量が５Ｗｈであった場合について説明する。かかる場合には、「属性情報Ｏの電力量（７．２９Ｗｈ）＞計測情報の電力量（５Ｗｈ）」の場合に該当するため、前述のように、第１の補正により属性情報Ｏを更新して、属性情報の一次属性の電力量には、計測情報の電力量５Ｗｈを設定した属性情報Ｐを生成し、消費者１への分配を確定させる。属性情報Ｐにおいて属性情報として値が変更される箇所は、次の（ａ）欄の情報である。属性情報Ｐを生成した後、元の属性情報Ｏを削除する。なお、消費者１に対して分配することができなかった残りの属性情報(電力量７．２９Ｗｈ−５Ｗｈ＝２．２９Ｗｈ)は、本第３の実施の形態においては、前述のように、第２の属性情報を生成することもなく、削除する。さらに、属性情報Ｐを分配した消費者１に係る計測情報（５Ｗｈ）についても削除する。
【０２４４】
第１の補正により新たに生成される属性情報(属性情報Ｐ)：
（ａ）電力量：５Ｗｈ
（ｂ）時刻：２０１４／１／１  ００：００：００
（ｃ）発電者識別子：発電者１
（ｄ）消費者識別子：消費者１
（ｅ）電源の種類：風力
（ｆ）電力量の期待値：７．２９Ｗｈ
【０２４５】
（８）ステップＳ２６１０  属性情報の記録
属性演算部２０１は、ステップＳ２６０９において第１の補正による属性情報Ｐの消費者への分配を確定させた後、該属性情報Ｐを、属性出力(可視化)部２０２に引き渡して、図２０において定義した属性情報記憶部２０３によって記憶させた後、ステップＳ２６０３の動作に復帰する。
【０２４６】
（９）ステップＳ２６１１  属性情報の第２の補正
ステップＳ２６０３において、処理対象とする次の発電者の計測情報が存在しない状態に達すると、ステップＳ２６１１に進んで、属性演算部２０１は、ステップＳ２６０１〜Ｓ２６１０までの演算結果として、残った消費者の計測情報を基にして、第２の補正を行う。前述の具体例においては、次のような消費者の計測情報が残っている。
【０２４７】
−残った消費者の計測情報−
消費者識別子が消費者１であり、消費電力量を計測した時刻が２０１４／１／１  ００：００：００であり、消費した電力量が７．７１Ｗｈである。
【０２４８】
したがって、本ステップＳ２６１１における第２の補正においては、前述のような残った消費者の計測情報に合わせて、属性情報を仮想的に生成して、消費者に対して分配する。具体的には、電力量には、残った当該消費者の計測情報の電力量を設定し、時刻には、当該消費者の計測情報の時刻を設定し、発電者識別子にはＡｎｙを設定し、消費者識別子には当該消費者の計測情報の消費者識別子を設定し、電源の種類にはＡｎｙを設定し、電力量の期待値にはＮｕｌｌを設定した属性情報を生成する。つまり、属性演算部２０１は、第２の補正により、次のような属性情報Ｑを新たに生成する（属性情報として値が埋まる箇所は、次の（ａ）、（ｂ）、（ｄ）欄の情報である)。
【０２４９】
第２の補正で生成される属性情報(属性情報Ｑ)
（ａ）電力量：７．７１Ｗｈ
（ｂ）時刻：２０１４／１／１  ００：００：００
（ｃ）発電者識別子：Ａｎｙ
（ｄ）消費者識別子：消費者１
（ｅ）電源の種類：Ａｎｙ
（ｆ）電力量の期待値：Ｎｕｌｌ
【０２５０】
（１０）ステップＳ２６１２  属性情報の記録
ステップＳ２６１１において、属性情報の第２の補正を実施すると、最後に、属性演算部２０１は、消費者への分配を確定させた属性情報に関する情報を、属性出力(可視化)部２０２に引き渡して、図２において定義した属性情報記憶部２０３によって記憶させた後、属性演算部２０１の演算動作を終了する。
【０２５１】
［第３の実施の形態における効果の説明］
次に、本第３の実施の形態における効果について説明する。本第３の実施の形態においては、発電部１０１と消費部１０２との間の伝送路をモデル化した伝送路モデルを定義するためのトポロジ情報（分岐点とリンク）を外部から受け取って管理するトポロジ管理部２１５を、第１、第２の実施の形態における電力識別装置２００に対して新たに追加して構成されているので、属性情報を発電者から消費者に伝送する際に、現実の伝送経路のトポロジ情報（分岐点とリンク）を参照することにより、たとえ、伝送路上の損失量が一律ではないような場合であっても、より正確な属性情報を消費者に分配することができる。
【０２５２】
なお、本第３の実施の形態においては、属性演算部２０１において適用する損失ルールとして、電力損失を損失率［％］によって規定したが、損失電力量そのものによって規定するようにしても良い。あるいは、次の式（２）に示すような、損失を算出するための数式を用いて規定するようにしても良い。
【０２５３】
【数２】
2016110920.tif 000004
【０２５４】
ここに、式（２）は、αは定数であり、損失電力Ｌ［Ｗｈ］が、電流Ｉの２乗に比例するということを示している。損失ルールとして、かくのごとき式（２）を用いて規定する場合、本第３の実施の形態の図２６のフローチャートにおけるステップＳ２６０７において、発電者１の計測情報を基にして生成した属性情報を、例えばリンク３を介して分岐点１から分岐点２に伝送する際に、該リンク３における損失分を次のように算出する。
【０２５５】
（段階Ｅ１）：
まず、リンク３を伝送する全ての属性情報の「電力量」の合計値を算出する。すなわち、全ての発電者の計測情報を基にして生成される全ての属性情報に関して、ステップＳ２６０３〜Ｓ２６１０までの演算処理を繰り返し実施することによって、リンク３を伝送させる全ての属性情報を特定し、特定した各属性情報の「電力量」の合計値を算出する。
【０２５６】
（段階Ｅ２）：
次に、リンク３を伝送させる全ての属性情報の「電力量」の合計値に用いて、リンク３における損失を算出する。すなわち、「電力量」の合計値ＰＷと、リンク３の電圧Ｖと、に基づいて、電流値Ｉ（＝「電力量」の合計値ＰＷ／電圧Ｖ）を算出する。ここで、リンク３の電圧Ｖはオペレータから事前に提供されているものとする。しかる後、算出した電流値Ｉを前記式（２）に代入して、リンク３における損失を算出する。
【０２５７】
［付記］
以上に、本発明に係る実施の形態について、詳細に説明したことからも明らかなように、前述の各実施の形態の一部または全部は、以下の各付記のようにも記載することができるが、本発明はかかる場合に限るものではないことは言うまでもない。なお、本発明は、前述のように、電力識別装置、電力識別方法および電力識別プログラムに関するものであるが、場合によっては、さらに、図１においても説明したように、発電部１０１と消費部１０２と電力識別装置２００とを構成要素とする電力識別システムとして実施することも可能である。以下には、該電力識別システムに関する実施の形態についても付記している。
【０２５８】
（付記１）
発電者からの消費者に対する電力供給の実績を識別する電力識別装置であって、
前記発電者が発電した発電電力量と前記消費者が消費した消費電力量とのそれぞれを発電部と消費部とのそれぞれから計測情報としてあらかじめ定めた周期で取得する計測情報取得手段と、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理手段と、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算手段と、
前記属性情報を記憶するとともに、外部に対して出力する属性出力手段と
を少なくとも有している電力識別装置。
【０２５９】
（付記２）
前記属性情報は、前記発電電力量、該発電電力量を計測した時刻に関する情報を少なくとも含む一次属性と、前記発電電力量の電源の種類、前記消費者における電力量の期待値、前記発電者を特定する発電者識別子、前記消費者を特定する消費者識別子、前記発電者が供給する電力の価格、環境負荷、地域に関する情報のいずれか１または複数の情報を含む付加属性と、を含んで構成されることを特徴とする前記付記１に記載の電力識別装置。
【０２６０】
（付記３）
前記生成ルールは、前記属性情報の生成条件と生成方法とを規定し、前記生成条件に一致した場合に、該生成条件に対応して規定されている前記生成方法によって前記属性情報を生成する前記付記１または２に記載の電力識別装置。
【０２６１】
（付記４）
前記生成ルールの前記生成条件が、前記発電者を特定する発電者識別子によって指定され、前記生成方法が、発電した前記発電電力量に応じて前記属性情報を生成するための属性の内容に関する情報、さらに、複数の前記属性を付与する場合には前記属性それぞれの比率または量を規定する情報によって指定される前記付記３に記載の電力識別装置。
【０２６２】
（付記５）
前記生成ルールの前記生成条件が、前記発電者を特定する発電者識別子によって指定され、前記生成方法が、該発電者の電源の種類の比率を規定する情報によって指定される前記付記３に記載の電力識別装置。
【０２６３】
（付記６）
前記分配ルールは、前記属性情報の分配条件と分配方法とを規定し、前記分配条件に一致した場合に、該分配条件に対応して規定されている前記分配方法によって前記属性情報を分配する前記付記１ないし５のいずれかに記載の電力識別装置。
【０２６４】
（付記７）
前記分配ルールの前記分配条件が、前記発電者を特定する発電者識別子によって指定され、前記分配方法が、前記消費者を特定する消費者識別子と該消費者の嗜好に従った前記属性情報の分配比率または分配量を規定する情報とによって指定される前記付記６に記載の電力識別装置。
【０２６５】
（付記８）
前記分配ルールの前記分配条件が、前記発電者を特定する発電者識別子と前記消費者を特定する消費者識別子とによって指定され、前記分配方法が、該消費者の嗜好に従った前記属性情報の分配比率または分配量を規定する情報によって指定される前記付記６に記載の電力識別装置。
【０２６６】
（付記９）
前記分配ルールの前記分配方法が、前記消費者の嗜好に従った前記属性情報の分配比率または分配量の代わりに、前記発電者と前記消費者との間の契約または前記消費者に提供されるサービスメニューに従った前記属性情報の分配比率または分配量を規定する情報によって指定される前記付記７または８に記載の電力識別装置。
【０２６７】
（付記１０）
前記分配ルールとして、前記発電者から当該発電者からの電力供給を希望する各前記消費者に対して等分に前記属性情報を分配する、または、前記発電者が電力供給を希望する各前記消費者に対して当該発電者から等分に前記属性情報を分配することを規定する前記付記１ないし５のいずれかに記載の電力識別装置。
【０２６８】
（付記１１）
前記損失ルールは、前記属性情報の損失条件と損失方法を規定し、前記損失条件に一致した場合に、該損失条件に対応して規定されている前記損失方法によって前記属性情報の前記電力量を減算する前記付記１ないし１０のいずれかに記載の電力識別装置。
【０２６９】
（付記１２）
前記損失ルールの前記損失条件が、前記発電者を特定する発電者識別子と前記消費者を特定する消費者識別子とによって指定され、前記損失方法が、前記発電者から前記消費者へ前記属性情報を伝送する伝送路上における前記属性情報の前記電力量の損失率または損失量を規定する情報によって指定される前記付記１１に記載の電力識別装置。
【０２７０】
（付記１３）
前記損失ルールを、前記伝送路の全ての区間に共通に適用するルールとして設定する、または、前記発電者と前記消費者との組み合わせごとに設定する前記付記１ないし１０のいずれかに記載の電力識別装置。
【０２７１】
（付記１４）
前記発電電力量の合計値と前記消費電力量の合計値との差分を補うための電力量を仮想計測情報として生成する仮想計測情報取得手段をさらに備えている前記付記１ないし１３のいずれかに記載の電力識別装置。
【０２７２】
（付記１５）
前記属性演算手段において前記属性情報を生成する際に用いる前記計測情報として、前記仮想計測情報取得手段において生成される前記仮想計測情報を含む情報を用いる前記付記１４に記載の電力識別装置。
【０２７３】
（付記１６）
前記属性情報に基づいて、前記消費者の前記消費部に備えている蓄電装置の充放電を制御するアクチュエーション手段をさらに備えている前記付記１ないし１５のいずれかに記載の電力識別装置。
【０２７４】
（付記１７）
前記アクチュエーション手段は、前記属性情報における前記発電電力量と前記消費者の電力量の期待値との間の差分に応じて、該当する前記消費者の前記消費部に対して前記蓄電装置の充放電の制御指示を出力する前記付記１６に記載の電力識別装置。
【０２７５】
（付記１８）
前記アクチュエーション手段は、前記属性情報における前記発電電力量に応じて、該当する前記消費者の前記消費部に対して前記蓄電装置の充放電の制御指示を出力する前記付記１６に記載の電力識別装置。
【０２７６】
（付記１９）
前記アクチュエーション手段は、任意の前記消費者に割り当てられた全ての前記属性情報の発電電力量の合計値と、特定の前記属性情報の発電電力量との差分に応じて、該当する前記消費者の前記消費部に対して前記蓄電装置の充放電の制御指示を出力する前記付記１６に記載の電力識別装置。
【０２７７】
（付記２０）
前記アクチュエーション手段は、前記消費者の前記消費部に対してではなく、前記発電者の前記発電部に対して当該発電部が備えている蓄電装置の充放電の制御指示を出力する前記付記１６に記載の電力識別装置。
【０２７８】
（付記２１）
前記属性情報を前記発電者から前記消費者に分配するための伝送路のトポロジ情報を管理するトポロジ管理手段をさらに備えている前記付記１ないし２０のいずれかに記載の電力識別装置。
【０２７９】
（付記２２）
前記トポロジ管理手段は、前記属性情報を伝送する前記伝送路を、前記発電者と前記消費者と前記伝送路上の分岐点とを示すノードと、前記ノード間のリンクと、により伝送路モデルとしてモデル化し、前記伝送路モデル上における各前記ノードと各前記リンクとを用いて、前記トポロジ情報を隣接行列として管理する前記付記２１に記載の電力識別装置。
【０２８０】
（付記２３）
前記分配ルールの前記分配条件が、前記伝送路モデル上の各前記ノードのうち各前記発電者を特定する発電者識別子と各前記分岐点を特定する分岐点識別子とによって指定され、前記分配方法が、各前記分岐点上における各分配先への分配比率または分配量を規定する情報によって指定される前記付記２２に記載の電力識別装置。
【０２８１】
（付記２４）
前記損失ルールの前記損失条件が、前記伝送路モデル上の各前記リンクを特定するリンク識別子によって指定され、前記損失方法が、各前記リンクの損失率または損失量を規定する情報によって指定される前記付記２２または２３に記載の電力識別装置。
【０２８２】
（付記２５）
前記属性演算手段は、前記発電者から前記消費者まで前記属性情報を分配する際に、前記属性情報を、前記伝送路モデル上を伝送させて前記分配ルールに基づいて各前記分岐点において分配し、かつ、前記損失ルールに基づいて前記属性情報の前記発電電力量を各前記リンクにおける損失分だけ減算する前記付記２２ないし２４のいずれかに記載の電力識別装置。
【０２８３】
（付記２６）
前記属性出力手段が前記属性情報を外部に対して出力する出力先が、前記消費者、オペレータ、前記発電者、第三者のうち、いずれか１または複数である前記付記１ないし２６のいずれかに記載の電力識別装置。
【０２８４】
（付記２７）
発電者からの消費者に対する電力供給の実績を識別する電力識別方法であって、
前記発電者が発電した発電電力量と前記消費者が消費した消費電力量とのそれぞれを発電部と消費部とのそれぞれから計測情報としてあらかじめ定めた周期で取得する計測情報取得ステップと、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理ステップと、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算ステップと、
前記属性情報を記憶するとともに、外部に対して出力する属性出力ステップと
を少なくとも有している電力識別方法。
【０２８５】
（付記２８）
前記属性情報は、前記発電電力量、該発電電力量を計測した時刻に関する情報を少なくとも含む一次属性と、前記発電電力量の電源の種類、前記消費者における電力量の期待値、前記発電者を特定する発電者識別子、前記消費者を特定する消費者識別子、前記発電者が供給する電力の価格、環境負荷、地域に関する情報のいずれか１または複数の情報を含む付加属性と、を含んで構成される前記付記２７に記載の電力識別方法。
【０２８６】
（付記２９）
前記生成ルールは、前記属性情報の生成条件と生成方法とを規定し、前記生成条件に一致した場合に、該生成条件に対応して規定されている前記生成方法によって前記属性情報を生成する前記付記２７または２８に記載の電力識別方法。
【０２８７】
（付記３０）
前記分配ルールは、前記属性情報の分配条件と分配方法とを規定し、前記分配条件に一致した場合に、該分配条件に対応して規定されている前記分配方法によって前記属性情報を分配する前記付記２７ないし２９のいずれかに記載の電力識別方法。
【０２８８】
（付記３１）
前記損失ルールは、前記属性情報の損失条件と損失方法を規定し、前記損失条件に一致した場合に、該損失条件に対応して規定されている前記損失方法によって前記属性情報の前記発電電力量を減算する前記付記２７ないし３０のいずれかに記載の電力識別方法。
【０２８９】
（付記３２）
前記発電電力量の合計値と前記消費電力量の合計値との差分を補うための電力量を生成する仮想計測情報取得ステップ、
をさらに有している前記付記２７ないし３１のいずれかに記載の電力識別方法。
【０２９０】
（付記３３）
前記属性情報に基づいて、前記消費者の前記消費部に備えている蓄電装置の充放電を制御するアクチュエーションステップをさらに有している前記２７ないし３２のいずれかに記載の電力識別方法。
【０２９１】
（付記３４）
前記属性情報を前記発電者から前記消費者に分配するための伝送路のトポロジ情報を管理するトポロジ管理手ステップをさらに有していることを特徴とする前記付記２７ないし３３のいずれかに記載の電力識別方法。
【０２９２】
（付記３５）
前記付記２７ないし３４のいずれかに記載の電力識別方法をコンピュータによって実行可能なプログラムとして実施している電力識別プログラム。
【０２９３】
（付記３６）
発電者からの消費者に対する電力供給の実績を識別する電力識別システムであって、
前記発電者の発電した電力量を計測し、計測した電力量に関する情報を外部に出力する発電情報出力手段を少なくとも備えた発電部と、
前記消費者の消費した電力量を計測し、計測した電力量に関する情報を外部に出力する消費情報出力手段を少なくとも備えた消費部と、
前記発電者が発電した発電電力量と前記消費者が消費した消費電力量とのそれぞれを前記発電部と前記消費部とのそれぞれから計測情報としてあらかじめ定めた周期で取得する計測情報取得手段と、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理手段と、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算手段と、
前記属性情報を記憶するとともに、外部に対して出力する属性出力手段と
を少なくとも有している電力識別システム。
【０２９４】
（付記３７）
前記消費部が、
蓄電装置と、
外部からの充放電の制御指示を受け取る制御指示受信手段と
をさらに備え、
前記制御指示受信手段によって受け取った前記充放電の制御指示に応じて前記蓄電装置を充放電する
ことを特徴とする前記付記３６に記載の電力識別システム。
【０２９５】
（付記３８）
前記発電部が、
蓄電装置と、
外部からの充放電の制御指示を受け取る制御指示受信手段と
をさらに備え、
前記制御指示受信手段によって受け取った前記充放電の制御指示に応じて前記蓄電装置を充放電する
ことを特徴とする前記付記３６または３７のいずれかに記載の電力識別システム。
【０２９６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【０２９７】
この出願は、２０１５年１月６日に出願された日本出願特願２０１５−０００６１０を基礎とする優先権を主張し、その開示の全てをここに取り込む。
【符号の説明】
【０２９８】
１０１      発電部
１０２      消費部
１０３      送配電網
２００      電力識別装置（電力識別部）
２０１      属性演算部
２０２      属性出力(可視化)部
２０３      属性情報記憶部
２０４      ルール管理部
２０５      ルール記憶部
２０６      計測情報収集蓄積部
２０７      計測情報記憶部
２０８      仮想計測情報取得部
２０９      仮想発電部
２１０      仮想消費部
２１１      計測情報取得部
２１２      発電情報取得部
２１３      消費情報取得部
２１４      アクチュエーション部
２１５      トポロジ管理部
２１６      トポロジ記憶部
１１０１    バス
１１０２    プロセッサ
１１０３    メモリ
１１０４    ストレージ
１１０４ａ  属性演算モジュール
１１０４ｂ  属性出力モジュール
１１０４ｃ  ルール管理モジュール
１１０４ｄ  計測情報収集蓄積モジュール
１１０４ｅ  仮想計測情報取得モジュール
１１０４ｆ  計測情報取得モジュール
１１０５    入出力インタフェース
【図１】
2016110920.tif 000005
【図２】
2016110920.tif 000006
【図３】
2016110920.tif 000007
【図４Ａ】
2016110920.tif 000008
【図４Ｂ】
2016110920.tif 000009
【図５Ａ】
2016110920.tif 000010
【図５Ｂ】
2016110920.tif 000011
【図６】
2016110920.tif 000012
【図７】
2016110920.tif 000013
【図８】
2016110920.tif 000014
【図９】
2016110920.tif 000015
【図１０Ａ】
2016110920.tif 000016
【図１０Ｂ】
2016110920.tif 000017
【図１１】
2016110920.tif 000018
【図１２】
2016110920.tif 000019
【図１３】
2016110920.tif 000020
【図１４】
2016110920.tif 000021
【図１５】
2016110920.tif 000022
【図１６】
2016110920.tif 000023
【図１７】
2016110920.tif 000024
【図１８】
2016110920.tif 000025
【図１９】
2016110920.tif 000026
【図２０】
2016110920.tif 000027
【図２１】
2016110920.tif 000028
【図２２】
2016110920.tif 000029
【図２３】
2016110920.tif 000030
【図２４】
2016110920.tif 000031
【図２５】
2016110920.tif 000032
【図２６】
2016110920.tif 000033
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
発電者からの消費者に対する電力供給の実績を識別する電力識別装置であって、
前記発電者が発電した発電電力量と前記消費者が消費した消費電力量とのそれぞれを発電部と消費部とのそれぞれから計測情報としてあらかじめ定めた周期で取得する計測情報取得手段と、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理手段と、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算手段と、
前記属性情報を記憶するとともに、外部に対して出力する属性出力手段と
を少なくとも有していることを特徴とする電力識別装置。
【請求項２】
前記属性情報は、前記発電電力量、該発電電力量を計測した時刻に関する情報を少なくとも含む一次属性と、前記発電電力量の電源の種類、前記消費者における電力量の期待値、前記発電者を特定する発電者識別子、前記消費者を特定する消費者識別子、前記発電者が供給する電力の価格、環境負荷、地域に関する情報のいずれか１または複数の情報を含む付加属性と、を含んで構成されることを特徴とする請求項１に記載の電力識別装置。
【請求項３】
前記生成ルールは、前記属性情報の生成条件と生成方法とを規定し、前記生成条件に一致した場合に、該生成条件に対応して規定されている前記生成方法によって前記属性情報を生成することを特徴とする請求項１または２に記載の電力識別装置。
【請求項４】
前記分配ルールは、前記属性情報の分配条件と分配方法とを規定し、前記分配条件に一致した場合に、該分配条件に対応して規定されている前記分配方法によって前記属性情報を分配することを特徴とする請求項１ないし３のいずれかに記載の電力識別装置。
【請求項５】
前記損失ルールは、前記属性情報の損失条件と損失方法を規定し、前記損失条件に一致した場合に、該損失条件に対応して規定されている前記損失方法によって前記属性情報の前記発電電力量を減算することを特徴とする請求項１ないし４のいずれかに記載の電力識別装置。
【請求項６】
前記発電電力量の合計値と前記消費電力量の合計値との差分を補うための電力量を生成する仮想計測情報取得手段をさらに備えていることを特徴とする請求項１ないし５のいずれか記載の電力識別装置。
【請求項７】
前記属性情報に基づいて、前記消費者の前記消費部に備えている蓄電装置の充放電を制御するアクチュエーション手段をさらに備えていることを特徴とする請求項１ないし６のいずれかに記載の電力識別装置。
【請求項８】
前記属性情報を前記発電者から前記消費者に分配するための伝送路のトポロジ情報を管理するトポロジ管理手段をさらに備えていることを特徴とする請求項１ないし７のいずれかに記載の電力識別装置。
【請求項９】
発電者からの消費者に対する電力供給の実績を識別する電力識別方法であって、
前記発電者が発電した発電電力量と前記消費者が消費した消費電力量とのそれぞれを発電部と消費部とのそれぞれから計測情報としてあらかじめ定めた周期で取得する計測情報取得ステップと、
前記発電電力量と前記消費電力量とのそれぞれに関する一次属性と前記発電電力量に関連する付加属性とを含む属性情報を生成するための生成ルールと、前記消費者の嗜好に応じて前記属性情報を前記消費者に伝送路を介して分配するための分配ルールと、前記伝送路の損失を規定するための損失ルールと、を管理するルール管理ステップと、
前記生成ルールに基づいて前記計測情報から前記属性情報を生成し、前記分配ルールと前記損失ルールとに基づいて、生成した前記属性情報を前記発電者から前記消費者に前記伝送路を介して分配する属性演算ステップと、
前記属性情報を記憶するとともに、外部に対して出力する属性出力ステップと
を少なくとも有していることを特徴とする電力識別方法。
【請求項１０】
請求項９に記載の電力識別方法をコンピュータに実行させる電力識別プログラム。
【国際調査報告】
2016110920.tif 000034
2016110920.tif 000035
2016110920.tif 000036